(57)【特許請求の範囲】
【請求項１】
通信システムに適用されるモビリティ管理方法であって、前記通信システムは、ホーム・エージェント制御プレーン(HA-C)、第1のホーム・エージェント・ユーザ・プレーン(HA-U)、及びモバイル・ノード(MN)を含み、前記第1のHA-Uは、第1のネットワークの中に位置し、前記第1のHA-Uは、第1のプロキシ・サーバ又はゲートウェイに配置され、前記HA-Cは、第2のプロキシ・サーバに配置され、当該方法は、
前記MNが前記第1のネットワークにアクセスする場合に、前記MNによって送信された第1のバインディング更新(BU)メッセージを前記HA-Cによって受信するステップと、
前記第1のBUメッセージにしたがって、前記HA-Cによって前記MNに、第1のバインディング確認応答(BA)メッセージを送信するステップであって、前記第1のBAメッセージは、前記第1のHA-Uのアドレスを含む、ステップと、
前記MNが前記第1のネットワークから前記第2のネットワークに移動した後に、前記MNによって送信された第2のBUメッセージを前記HA-Cによって受信するステップであって、前記第2のBUメッセージは、前記MNのホーム・アドレス(HoA)及び気付アドレス(CoA)を含む、ステップと、
前記HA-Cによって前記第1のHA-Uに構成メッセージを送信するステップであって、前記構成メッセージは、前記MNの前記HoA及び前記CoAを含む、ステップと、を含み、
前記構成メッセージの中で搬送される前記MNの前記HoA及び前記CoAと前記第1のBAメッセージの中で搬送される前記第1のHA-Uの前記アドレスとにしたがって、前記第1のHA-Uと前記MNとの間でトンネル通信が実行される、
方法。
【請求項２】
前記第1のネットワークが少なくとも2つのHA-Uを含み、前記少なくとも2つのHA-Uが、異なるプロキシ・サーバ又は異なるゲートウェイに個別に配置される場合に、前記HA-Cによって前記MNに、第1のBAメッセージを送信するステップの前に、当該方法は、
負荷平衡規則にしたがって、前記第1のネットワークに含まれる前記少なくとも2つのHA-Uから前記第1のHA-Uを前記HA-Cによって決定するステップをさらに含む、請求項１に記載の方法。
【請求項３】
前記通信システムは、第2のHA-Uをさらに含み、前記第2のHA-Uは、前記第2のネットワークの中に位置し、
前記MNが前記第1のネットワークから前記第2のネットワークに移動した後に、前記MNによって送信された第2のBUメッセージを前記HA-Cによって受信するステップの後に、当該方法は、
前記第2のネットワークの中の前記HA-Cによって、前記MNのための前記第2のHA-Uを決定するステップと、
前記HA-Cによって前記MNに第2のBAメッセージを送信するステップと、をさらに含み、前記第2のBAメッセージは、前記第2のHA-Uのアドレスを含み、それによって、前記MNが、前記第2のネットワークから、前記第2のネットワークとは異なる第3のネットワークに移動した後に、前記MNは、前記第2のHA-Uの前記アドレスにしたがって、前記第2のHA-Uとのトンネル通信を実行する、請求項１又は２に記載の方法。
【請求項４】
前記構成メッセージは、トンネル・タイプをさらに含み、前記トンネル・タイプは、トンネル通信が実行されるときに使用されるトンネル・プロトコルを示すのに使用され、
前記第1のBAメッセージは、前記トンネル・タイプをさらに含む、請求項１から３のいずれか１項に記載の方法。
【請求項５】
前記MNによって送信された第2のBUメッセージを前記HA-Cによって受信するステップの後に、当該方法は、
前記MNによって送信されたモバイル・プレフィックス要請(MPS)メッセージを前記HA-Cによって受信して、前記MNにモバイル・プレフィックス広告(MPA)メッセージを返すステップをさらに含む、請求項１から４のいずれか１項に記載の方法。
【請求項６】
前記通信システムは、対応するノードCNをさらに含み、前記CNは、前記第1のネットワークを使用することによって前記MNと通信し、
前記MNによって送信された第2のBUメッセージを前記HA-Cによって受信するステップの後に、当該方法は、
前記MNによって送信されたホーム・テスト初期化(HTI)メッセージを前記HA-Cによって受信し、前記CNに前記HTIメッセージを転送するステップをさらに含む、請求項１から５のいずれか１項に記載の方法。
【請求項７】
通信システムに適用されるモビリティ管理方法であって、前記通信システムは、ホーム・エージェント制御プレーン(HA-C)、第1のホーム・エージェント・ユーザ・プレーン(HA-U)、及びモバイル・ノード(MN)を含み、前記第1のHA-Uは、第1のネットワークの中に位置し、前記第1のHA-Uは、第1のプロキシ・サーバ又はゲートウェイに配置され、前記HA-Cは、第2のプロキシ・サーバに配置され、
第1のバインディング確認応答(BA)メッセージは、前記MNが前記第1のネットワークにアクセスする場合に、前記MNが前記HA-Cに送信した第1のバインディング更新(BU)メッセージにしたがって、前記HA-Cによって前記MNに送信され、前記第1のBAメッセージは、前記第1のHA-Uのアドレスを含み、当該方法は、
前記MNが前記第1のネットワークから前記第2のネットワークに移動した後に、前記MNが前記HA-Cに送信した第2のBUメッセージにしたがって、前記HA-Cによって送信された構成メッセージを前記第1のHA-Uによって受信するステップであって、前記構成メッセージは、前記MNのホーム・アドレス(HoA)及び気付アドレス(CoA)を含む、ステップと、
前記構成メッセージにしたがって前記MNとのトンネル通信を前記第1のHA-Uによって実行するステップと、を含み、
前記トンネル通信は、前記構成メッセージの中で搬送される前記MNの前記HoA及び前記CoAと前記第1のBAメッセージの中で搬送される前記第1のHA-Uの前記アドレスとにしたがって、前記第1のHA-Uと前記MNとの間で実行される、
方法。
【請求項８】
前記通信システムは、対応するノードCNをさらに含み、前記CNは、前記第1のネットワークを使用することによって前記MNと通信し、
前記構成メッセージにしたがって前記MNとのトンネル通信を前記第1のHA-Uによって実行するステップは、
前記MNによって送信された第1のデータ・パケットを前記第1のHA-Uによって受信するステップであって、前記第1のデータ・パケットは、前記MNが、前記第1のHA-Uのアドレスにしたがって、第2のデータ・パケットにトンネル・カプセル化を実行した後に取得されるデータ・パケットであり、前記第2のデータ・パケットは、前記MNによって前記CNに送信されるデータ・パケットである、ステップと、
前記第1のHA-Uによって、前記第1のデータ・パケットにトンネル・デカプセル化を実行して、前記第2のデータ・パケットを取得し、前記CNに前記第2のデータ・パケットを転送するステップと、を含む、請求項７に記載の方法。
【請求項９】
前記構成メッセージにしたがって前記MNとのトンネル通信を前記第1のHA-Uによって実行するステップの後に、当該方法は、
前記MNによって送信されたモバイル・プレフィックス要請(MPS)メッセージを前記第1のHA-Uによって受信し、前記MNにモバイル・プレフィックス広告(MPA)メッセージを返すステップをさらに含む、請求項７又は８に記載の方法。
【請求項１０】
前記構成メッセージにしたがって前記MNとのトンネル通信を前記第1のHA-Uによって実行するステップの後に、当該方法は、
前記MNによって送信されたホーム・テスト初期化(HTI)メッセージを前記第1のHA-Uによって受信し、前記CNに前記HTIメッセージを転送するステップをさらに含む、請求項７から９のいずれか１項に記載の方法。
【請求項１１】
通信システムに適用されるモビリティ管理方法であって、前記通信システムは、ホーム・エージェント制御プレーン(HA-C)、第1のホーム・エージェント・ユーザ・プレーン(HA-U)、及びモバイル・ノード(MN)を含み、前記第1のHA-Uは、第1のネットワークの中に位置し、前記第1のHA-Uは、第1のプロキシ・サーバ又はゲートウェイに配置され、前記HA-Cは、第2のプロキシ・サーバに配置され、当該方法は、
前記MNが前記第1のネットワークにアクセスする場合に、前記MNによって前記HA-Cに、第1のバインディング更新(BU)メッセージを送信するステップと、
前記HA-Cによって送信された第1のバインディング確認応答(BA)メッセージを前記MNによって受信するステップであって、前記第1のBAメッセージは、前記第1のHA-Uのアドレスを含む、ステップと、
前記MNが、前記第1のネットワークから、前記第1のネットワークとは異なる第2のネットワークに移動した後に、前記MNによって前記HA-Cに第2のBUメッセージを送信するステップであって、前記第2のBUメッセージは、前記MNのホーム・アドレス(HoA)及び気付アドレス(CoA)を含む、ステップと、
前記第1のHA-Uの前記アドレスにしたがって、前記第1のHA-Uとのトンネル通信を前記MNによって実行するステップと、を含み、
前記MNが前記HA-Cに送信した前記第2のBUメッセージにしたがって、構成メッセージが、前記HA-Cによって前記第1のHA-Uに送信され、前記構成メッセージは、前記MNの前記HoA及び前記CoAを含み、
前記トンネル通信は、前記構成メッセージの中で搬送される前記MNの前記HoA及び前記CoAと前記第1のBAメッセージの中で搬送される前記第1のHA-Uの前記アドレスとにしたがって、前記第1のHA-Uと前記MNとの間で実行される、
方法。
【請求項１２】
前記通信システムは、第2のHA-Uをさらに含み、前記第2のHA-Uは、前記第2のネットワークの中に位置し、
前記MNによって前記HA-Cに第2のBUメッセージを送信するステップの後に、当該方法は、
前記HA-Cによって送信された第2のBAメッセージを前記MNによって受信するステップをさらに含み、前記第2のBAメッセージは、前記第2のHA-Uのアドレスを含む、請求項１１に記載の方法。
【請求項１３】
前記通信システムは、対応するノード(CN)をさらに含み、前記CNは、前記第1のネットワークを使用することによって前記MNと通信し、
前記第1のHA-Uの前記アドレスにしたがって、前記第1のHA-Uとのトンネル通信を前記MNによって実行するステップは、
前記第1のHA-Uの前記アドレスにしたがって、前記MNによって、第2のデータ・パケットにトンネル・カプセル化を実行して、第1のデータ・パケットを取得し、そして、前記第1のHA-Uに前記第1のデータ・パケットを送信し、それによって、前記第1のHA-Uは、前記第1のデータ・パケットにトンネル・デカプセル化を実行して、前記第2のデータ・パケットを取得し、前記CNに前記第2のデータ・パケットを転送するステップを含み、前記第2のデータ・パケットは、前記MNによって前記CNに送信されるデータ・パケットである、請求項１１又は１２に記載の方法。
【請求項１４】
前記第1のHA-Uの前記アドレスにしたがって、前記第1のHA-Uとのトンネル通信を前記MNによって実行するステップの後に、当該方法は、
前記MNによって前記HA-Cに、モバイル・プレフィックス要請(MPS)メッセージを送信し、前記HA-Cによって送信されたモバイル・プレフィックス広告(MPA)メッセージを受信するステップ、又は、前記MNによって前記第1のHA-UにMPSメッセージを送信し、前記第1のHA-Uによって送信されたMPAメッセージを受信するステップをさらに含む、請求項１１から１３のいずれか１項に記載の方法。
【請求項１５】
前記第1のHA-Uの前記アドレスにしたがって、前記第1のHA-Uとのトンネル通信を前記MNによって実行するステップの後に、当該方法は、
前記MNによって前記HA-Cに、ホーム・テスト初期化(HTI)メッセージを送信するステップ、又は、前記MNによって前記第1のHA-UにHTIメッセージを送信するステップをさらに含む、請求項１１から１４のいずれか１項に記載の方法。
【請求項１６】
モビリティ管理装置であって、当該装置は、ホーム・エージェント制御プレーン(HA-C)であり、当該装置は、通信システムに適用され、前記通信システムは、前記HA-C、第1のホーム・エージェント・ユーザ・プレーン(HA-U)、及びモバイル・ノード(MN)を含み、前記第1のHA-Uは、第1のネットワークの中に位置し、前記第1のHA-Uは、第1のプロキシ・サーバ又はゲートウェイに配置され、前記HA-Cは、第2のプロキシ・サーバに配置され、当該装置は、
前記MNが前記第1のネットワークにアクセスする場合に、前記MNによって送信された第1のバインディング更新(BU)メッセージを受信するように構成される受信モジュールと、
前記第1のBUメッセージにしたがって、前記MNに第1のバインディング確認応答(BA)メッセージを送信するように構成される送信モジュールと、を含み、前記第1のBAメッセージは、前記第1のHA-Uのアドレスを含み、
前記受信モジュールは、さらに、前記MNが前記第1のネットワークから前記第2のネットワークに移動した後に、前記MNによって送信された第2のBUメッセージを受信するように構成され、前記第2のBUメッセージは、前記MNのホーム・アドレス(HoA)及び気付アドレス(CoA)を含み、
前記送信モジュールは、さらに、前記第1のHA-Uに構成メッセージを送信するように構成され、前記構成メッセージは、前記MNの前記HoA及び前記CoAを含み
前記構成メッセージの中で搬送される前記MNの前記HoA及び前記CoAと前記第1のBAメッセージの中で搬送される前記第1のHA-Uの前記アドレスとにしたがって、前記第1のHA-Uと前記MNとの間でトンネル通信が実行される、
装置。
【請求項１７】
前記第1のネットワークが少なくとも2つのHA-Uを含み、前記少なくとも2つのHA-Uが、異なるプロキシ・サーバ又は異なるゲートウェイに個別に配置される場合に、当該装置は、負荷平衡規則にしたがって、前記第1のネットワークに含まれる前記少なくとも2つのHA-Uから前記第1のHA-Uを決定するように構成される処理モジュールをさらに含む、請求項１６に記載の装置。
【請求項１８】
前記通信システムは、第2のHA-Uをさらに含み、前記第2のHA-Uは、前記第2のネットワークの中に位置し、
前記処理モジュールは、さらに、前記MNについての前記第2のHA-Uを前記第2のネットワークにおいて決定するように構成され、
前記送信モジュールは、さらに、前記MNに第2のBAメッセージを送信するように構成され、前記第2のBAメッセージは、前記第2のHA-Uのアドレスを含み、それによって、前記MNが、前記第2のネットワークから、前記第2のネットワークとは異なる第3のネットワークに移動した後に、前記MNは、前記第2のHA-Uの前記アドレスにしたがって、前記第2のHA-Uとのトンネル通信を実行する、請求項１６又は１７に記載の装置。
【請求項１９】
前記構成メッセージは、トンネル・タイプをさらに含み、前記トンネル・タイプは、トンネル通信が実行されるときに使用されるトンネル・プロトコルを示すのに使用され、
前記第1のBAメッセージは、前記トンネル・タイプをさらに含み、又は、
前記構成メッセージは、トンネル・パラメータをさらに含み、前記トンネル・パラメータは、トンネル通信が、前記トンネル・タイプによって示される前記トンネル・プロトコルを使用することにより実行されるときに使用される関連するパラメータであり、
前記第1のBAメッセージは、前記トンネル・パラメータをさらに含む、請求項１６から１８のいずれか１項に記載の装置。
【請求項２０】
前記受信モジュールは、さらに、前記MNによって送信されたモバイル・プレフィックス要請(MPS)メッセージを受信するように構成され、
前記送信モジュールは、さらに、前記MNにモバイル・プレフィックス広告(MPA)メッセージを返すように構成される、請求項１６から１９のいずれか１項に記載の装置。
【請求項２１】
前記通信システムは、対応するノード(CN)をさらに含み、前記CNは、前記第1のネットワークを使用することによって前記MNと通信し、
前記受信モジュールは、さらに、前記MNによって送信されたホーム・テスト初期化(HTI)メッセージを受信するように構成され、
前記送信モジュールは、さらに、前記CNに前記HTIメッセージを転送するように構成される、請求項１６から２０のいずれか１項に記載の装置。
【請求項２２】
モビリティ管理装置であって、当該装置は、第1のホーム・エージェント・ユーザ・プレーン(HA-U)であり、当該装置は、通信システムに適用され、前記通信システムは、ホーム・エージェント制御プレーン(HA-C)、前記第1のHA-U、及びモバイル・ノード(MN)を含み、前記第1のHA-Uは、第1のネットワークの中に位置し、前記第1のHA-Uは、第1のプロキシ・サーバ又はゲートウェイに配置され、前記HA-Cは、第2のプロキシ・サーバに配置され、
第1のバインディング確認応答(BA)メッセージは、前記MNが前記第1のネットワークにアクセスする場合に、前記MNが前記HA-Cに送信した第1のバインディング更新(BU)メッセージにしたがって、前記HA-Cによって前記MNに送信され、前記第1のBAメッセージは、前記第1のHA-Uのアドレスを含み、当該装置は、
前記MNが前記第1のネットワークから前記第2のネットワークに移動した後に、前記MNが前記HA-Cに送信した第2のBUメッセージにしたがって、前記HA-Cによって送信された構成メッセージを受信するように構成される受信モジュールであって、前記構成メッセージは、前記MNのホーム・アドレス(HoA)及び気付アドレス(CoA)を含む、受信モジュールと、
前記構成メッセージにしたがって前記MNとのトンネル通信を実行するように構成されるトンネル通信モジュールと、を含み、
前記トンネル通信は、前記構成メッセージの中で搬送される前記MNの前記HoA及び前記CoAと前記第1のBAメッセージの中で搬送される前記第1のHA-Uの前記アドレスとにしたがって、前記第1のHA-Uと前記MNとの間で実行される、
装置。
【請求項２３】
前記通信システムは、対応するノード(CN)をさらに含み、前記CNは、前記第1のネットワークを使用することによって前記MNと通信し、
前記トンネル通信モジュールは、
前記MNによって送信された第1のデータ・パケットを受信し、前記第1のデータ・パケットは、前記MNが、前記第1のHA-Uのアドレスにしたがって、第2のデータ・パケットにトンネル・カプセル化を実行した後に取得されるデータ・パケットであり、前記第2のデータ・パケットは、前記MNによって前記CNに送信されるデータ・パケットであり、
前記第1のデータ・パケットにトンネル・デカプセル化を実行して、前記第2のデータ・パケットを取得し、前記CNに前記第2のデータ・パケットを転送する、ように構成される、請求項２２に記載の装置。
【請求項２４】
前記受信モジュールは、さらに、前記MNによって送信されたモバイル・プレフィックス要請(MPS)メッセージを受信するように構成され、
当該装置は、前記MNにモバイル・プレフィックス広告(MPA)メッセージを返すように構成される第1の送信モジュールをさらに含む、請求項２２又は２３に記載の装置。
【請求項２５】
前記受信モジュールは、さらに、前記MNによって送信されたホーム・テスト初期化(HTI)メッセージを受信するように構成され、
当該装置は、前記CNに前記HTIメッセージを転送するように構成される第2の送信モジュールをさらに含む、請求項２２から２４のいずれか１項に記載の装置。
【請求項２６】
モビリティ管理装置であって、当該装置は、モバイル・ノード(MN)であり、当該装置は、通信システムに適用され、前記通信システムは、ホーム・エージェント制御プレーン(HA-C)、第1のホーム・エージェント・ユーザ・プレーン(HA-U)、及び前記MNを含み、前記第1のHA-Uは、第1のネットワークの中に位置し、前記第1のHA-Uは、第1のプロキシ・サーバ又はゲートウェイに配置され、前記HA-Cは、第2のプロキシ・サーバに配置され、当該装置は、
前記MNが前記第1のネットワークにアクセスする場合に、前記HA-Cに第1のバインディング更新(BU)メッセージを送信するように構成される送信モジュールと、
前記HA-Cによって送信された第1のバインディング確認応答(BA)メッセージを受信するように構成される受信モジュールと、を含み、前記第1のBAメッセージは、前記第1のHA-Uのアドレスを含み、
前記送信モジュールは、さらに、前記MNが、前記第1のネットワークから、前記第1のネットワークとは異なる第2のネットワークに移動した後に、前記HA-Cに第2のBUメッセージを送信するように構成され、前記第2のBUメッセージは、前記MNのホーム・アドレス(HoA)及び気付アドレス(CoA)を含み、
前記MNが前記HA-Cに送信した前記第2のBUメッセージにしたがって、構成メッセージが、前記HA-Cによって前記第1のHA-Uに送信され、前記構成メッセージは、前記MNの前記HoA及び前記CoAを含み、当該装置は、
前記第1のHA-Uの前記アドレスにしたがって、前記第1のHA-Uとのトンネル通信を実行するように構成されるトンネル通信モジュールをさらに含み、
前記トンネル通信は、前記構成メッセージの中で搬送される前記MNの前記HoA及び前記CoAと前記第1のBAメッセージの中で搬送される前記第1のHA-Uの前記アドレスとにしたがって、前記第1のHA-Uと前記MNとの間で実行される、
装置。
【請求項２７】
前記通信システムは、第2のHA-Uをさらに含み、前記第2のHA-Uは、前記第2のネットワークの中に位置し、
前記受信モジュールは、さらに、前記HA-Cによって送信された第2のBAメッセージを受信するように構成され、前記第2のBAメッセージは、前記第2のHA-Uのアドレスを含む、請求項２６に記載の装置。
【請求項２８】
前記通信システムは、対応するノード(CN)をさらに含み、前記CNは、前記第1のネットワークを使用することによって前記MNと通信し、
前記トンネル通信モジュールは、前記第1のHA-Uの前記アドレスにしたがって、第2のデータ・パケットにトンネル・カプセル化を実行して、第1のデータ・パケットを取得し、そして、前記第1のHA-Uに前記第1のデータ・パケットを送信するように構成され、それによって、前記第1のHA-Uは、前記第1のデータ・パケットにトンネル・デカプセル化を実行して、前記第2のデータ・パケットを取得し、前記CNに前記第2のデータ・パケットを転送し、前記第2のデータ・パケットは、前記MNによって前記CNに送信されるデータ・パケットである、請求項２２から２７のいずれか１項に記載の装置。
【請求項２９】
前記送信モジュールは、さらに、前記HA-Cにモバイル・プレフィックス要請(MPS)メッセージを送信するように構成され、
前記受信モジュールは、さらに、前記HA-Cによって送信されたモバイル・プレフィックス広告(MPA)メッセージを受信するように構成され、又は、
前記送信モジュールは、さらに、前記HA-Cにホーム・テスト初期化(HTI)メッセージを送信するように構成される、請求項２６から２８のいずれか１項に記載の装置。
【請求項３０】
モビリティ管理装置であって、当該装置は、ホーム・エージェント制御プレーン(HA-C)であり、当該装置は、通信システムに適用され、前記通信システムは、前記HA-C、第1のホーム・エージェント・ユーザ・プレーン(HA-U)、及びモバイル・ノード(MN)を含み、前記第1のHA-Uは、第1のネットワークの中に位置し、前記第1のHA-Uは、第1のプロキシ・サーバ又はゲートウェイに配置され、前記HA-Cは、第2のプロキシ・サーバに配置され、当該装置は、
前記MNが前記第1のネットワークにアクセスする場合に、前記MNによって送信された第1のバインディング更新(BU)メッセージを受信するように構成される受信器と、
前記第1のBUメッセージにしたがって、前記MNに第1のバインディング確認応答(BA)メッセージを送信するように構成される送信器と、を含み、前記第1のBAメッセージは、前記第1のHA-Uのアドレスを含み、
前記受信器は、さらに、前記MNが前記第1のネットワークから前記第2のネットワークに移動した後に、前記MNによって送信された第2のBUメッセージを受信するように構成され、前記第2のBUメッセージは、前記MNのホーム・アドレス(HoA)及び気付アドレス(CoA)を含み、
前記送信器は、さらに、前記第1のHA-Uに構成メッセージを送信するように構成され、前記構成メッセージは、前記MNの前記HoA及び前記CoAを含み、
前記構成メッセージの中で搬送される前記MNの前記HoA及び前記CoAと前記第1のBAメッセージの中で搬送される前記第1のHA-Uの前記アドレスとにしたがって、前記第1のHA-Uと前記MNとの間でトンネル通信が実行される、
装置。
【請求項３１】
前記第1のネットワークが少なくとも2つのHA-Uを含み、前記少なくとも2つのHA-Uが、異なるプロキシ・サーバ又は異なるゲートウェイに個別に配置される場合に、当該装置は、負荷平衡規則にしたがって、前記第1のネットワークに含まれる前記少なくとも2つのHA-Uから前記第1のHA-Uを決定するように構成されるプロセッサをさらに含む、請求項３０に記載の装置。
【請求項３２】
前記構成メッセージは、トンネル・タイプをさらに含み、前記トンネル・タイプは、トンネル通信が実行されるときに使用されるトンネル・プロトコルを示すのに使用され、前記第1のBAメッセージは、前記トンネル・タイプをさらに含むか、又は、
前記構成メッセージは、トンネル・パラメータをさらに含み、前記トンネル・パラメータは、トンネル通信が、前記トンネル・タイプによって示される前記トンネル・プロトコルを使用することにより実行されるときに使用される関連するパラメータであり、前記第1のBAメッセージは、前記トンネル・パラメータをさらに含む、請求項３０又は３１に記載の装置。
【請求項３３】
モビリティ管理装置であって、当該装置は、第1のホーム・エージェント・ユーザ・プレーン(HA-U)であり、当該装置は、通信システムに適用され、前記通信システムは、ホーム・エージェント制御プレーン(HA-C)、前記第1のHA-U、及びモバイル・ノード(MN)を含み、前記第1のHA-Uは、第1のネットワークの中に位置し、前記第1のHA-Uは、第1のプロキシ・サーバ又はゲートウェイに配置され、前記HA-Cは、第2のプロキシ・サーバに配置され、
第1のバインディング確認応答(BA)メッセージは、前記MNが前記第1のネットワークにアクセスする場合に、前記MNが前記HA-Cに送信した第1のバインディング更新(BU)メッセージにしたがって、前記HA-Cによって前記MNに送信され、前記第1のBAメッセージは、前記第1のHA-Uのアドレスを含み、当該装置は、
前記MNが前記第1のネットワークから前記第2のネットワークに移動した後に、前記MNが前記HA-Cに送信した第2のバインディング更新(BU)メッセージにしたがって、前記HA-Cによって送信された構成メッセージを受信するように構成される受信器であって、前記構成メッセージは、前記MNのホーム・アドレス(HoA)及び気付アドレス(CoA)を含む、受信器と、
前記構成メッセージにしたがって前記MNとのトンネル通信を実行するように構成されるプロセッサと、を含み、
前記トンネル通信は、前記構成メッセージの中で搬送される前記MNの前記HoA及び前記CoAと前記第1のBAメッセージの中で搬送される前記第1のHA-Uの前記アドレスとにしたがって、前記第1のHA-Uと前記MNとの間で実行される、
装置。
【請求項３４】
前記通信システムは、対応するノード(CN)をさらに含み、前記CNは、前記第1のネットワークを使用することによって前記MNと通信し、
前記プロセッサは、特に、
前記MNによって送信された第1のデータ・パケットを受信し、前記第1のデータ・パケットは、前記MNが、前記第1のHA-Uのアドレスにしたがって、第2のデータ・パケットにトンネル・カプセル化を実行した後に取得されるデータ・パケットであり、前記第2のデータ・パケットは、前記MNによって前記CNに送信されるデータ・パケットであり、
前記第1のデータ・パケットにトンネル・デカプセル化を実行して、前記第2のデータ・パケットを取得し、前記CNに前記第2のデータ・パケットを転送する、ように構成される、請求項３３に記載の装置。
【請求項３５】
前記受信器は、さらに、前記MNによって送信されたモバイル・プレフィックス要請(MPS)メッセージを受信するように構成され、
当該装置は、前記MNにモバイル・プレフィックス広告(MPA)メッセージを返すように構成される送信器をさらに含む、請求項３３又は３４に記載の装置。
【請求項３６】
前記受信器は、さらに、前記MNによって送信されたホーム・テスト初期化(HTI)メッセージを受信するように構成され、
当該装置は、前記CNに前記HTIメッセージを転送するように構成される送信器をさらに含む、請求項３３又は３４に記載の装置。
【請求項３７】
モビリティ管理装置であって、当該装置は、モバイル・ノード(MN)であり、当該装置は、通信システムに適用され、前記通信システムは、ホーム・エージェント制御プレーン(HA-C)、第1のホーム・エージェント・ユーザ・プレーン(HA-U)、及び前記MNを含み、前記第1のHA-Uは、第1のネットワークの中に位置し、前記第1のHA-Uは、第1のプロキシ・サーバ又はゲートウェイに配置され、前記HA-Cは、第2のプロキシ・サーバに配置され、当該装置は、
前記MNが前記第1のネットワークにアクセスする場合に、前記HA-Cに第1のバインディング更新(BU)メッセージを送信するように構成される送信器と、
前記HA-Cによって送信された第1のバインディング確認応答(BA)メッセージを受信するように構成される受信器と、を含み、前記第1のBAメッセージは、前記第1のHA-Uのアドレスを含み、
前記送信器は、さらに、前記MNが、前記第1のネットワークから、前記第1のネットワークとは異なる第2のネットワークに移動した後に、前記HA-Cに第2のBUメッセージを送信するように構成され、前記第2のBUメッセージは、前記MNのホーム・アドレス(HoA)及び気付アドレス(CoA)を含み、
前記MNが前記HA-Cに送信した前記第2のBUメッセージにしたがって、構成メッセージが、前記HA-Cから前記第1のHA-Uに送信され、前記構成メッセージは、前記MNの前記HoA及び前記CoAを含み、当該装置は、
前記第1のHA-Uの前記アドレスにしたがって、前記第1のHA-Uとのトンネル通信を実行するように構成されるプロセッサをさらに含み、
前記トンネル通信は、前記構成メッセージの中で搬送される前記MNの前記HoA及び前記CoAと前記第1のBAメッセージの中で搬送される前記第1のHA-Uの前記アドレスとにしたがって、前記第1のHA-Uと前記MNとの間で実行される、
装置。
【請求項３８】
前記通信システムは、第2のHA-Uをさらに含み、前記第2のHA-Uは、前記第2のネットワークの中に位置し、
前記受信器は、さらに、前記HA-Cによって送信された第2のBAメッセージを受信するように構成され、前記第2のBAメッセージは、前記第2のHA-Uのアドレスを含む、請求項３７に記載の装置。
【請求項３９】
前記送信器は、さらに、前記HA-Cにモバイル・プレフィックス要請(MPS)メッセージを送信するように構成され、前記受信器は、さらに、前記HA-Cによって送信されたモバイル・プレフィックス広告(MPA)メッセージを受信するように構成され、又は、
前記送信器は、さらに、前記HA-Cにホーム・テスト初期化(HTI)メッセージを送信するように構成される、請求項３７又は３８に記載の装置。
【請求項４０】
複数のコンピュータ実行可能な命令を含むコンピュータ・プログラムであって、前記複数のコンピュータ実行可能な命令は、ホーム・エージェント制御プレーン(HA-C)のプロセッサで実行されると、前記HA-Cに、通信システムに適用されるモビリティ管理方法を実行させ、前記通信システムは、前記HA-C、第1のホーム・エージェント・ユーザ・プレーン(HA-U)、及びモバイル・ノード(MN)を含み、前記第1のHA-Uは、第1のネットワークの中に位置し、前記第1のHA-Uは、第1のプロキシ・サーバ又はゲートウェイに配置され、前記HA-Cは、第2のプロキシ・サーバに配置され、前記方法は、
前記MNが前記第1のネットワークにアクセスする場合に、前記MNによって送信された第1のバインディング更新(BU)メッセージを前記HA-Cによって受信するステップと、
前記第1のBUメッセージにしたがって、前記HA-Cによって前記MNに、第1のバインディング確認応答(BA)メッセージを送信するステップであって、前記第1のBAメッセージは、前記第1のHA-Uのアドレスを含む、ステップと、
前記MNが前記第1のネットワークから前記第2のネットワークに移動した後に、前記MNによって送信された第2のBUメッセージを前記HA-Cによって受信するステップであって、前記第2のBUメッセージは、前記MNのホーム・アドレス(HoA)及び気付アドレス(CoA)を含む、ステップと、
前記HA-Cによって前記第1のHA-Uに構成メッセージを送信するステップであって、前記構成メッセージは、前記MNの前記HoA及び前記CoAを含む、ステップと、を含み、
前記構成メッセージの中で搬送される前記MNの前記HoA及び前記CoAと前記第1のBAメッセージの中で搬送される前記第1のHA-Uの前記アドレスとにしたがって、前記第1のHA-Uと前記MNとの間でトンネル通信が実行される、
コンピュータ・プログラム。
【請求項４１】
複数のコンピュータ実行可能な命令を含むコンピュータ・プログラムであって、前記複数のコンピュータ実行可能な命令は、第1のホーム・エージェント・ユーザ・プレーン(HA-U)のプロセッサで実行されると、前記HA-Uに、通信システムに適用されるモビリティ管理方法を実行させ、前記通信システムは、ホーム・エージェント制御プレーン(HA-C)、前記第1のHA-U、及びモバイル・ノード(MN)を含み、前記第1のHA-Uは、第1のネットワークの中に位置し、前記第1のHA-Uは、第1のプロキシ・サーバ又はゲートウェイに配置され、前記HA-Cは、第2のプロキシ・サーバに配置され、
第1のバインディング確認応答(BA)メッセージは、前記MNが前記第1のネットワークにアクセスする場合に、前記MNが前記HA-Cに送信した第1のバインディング更新(BU)メッセージにしたがって、前記HA-Cによって前記MNに送信され、前記第1のBAメッセージは、前記第1のHA-Uのアドレスを含み、前記方法は、
前記MNが前記第1のネットワークから前記第2のネットワークに移動した後に、前記MNが前記HA-Cに送信した第2のバインディング更新(BU)メッセージにしたがって、前記HA-Cによって送信された構成メッセージを前記第1のHA-Uによって受信するステップであって、前記構成メッセージは、前記MNのホーム・アドレス(HoA)及び気付アドレス(CoA)を含む、ステップと、
前記構成メッセージにしたがって前記MNとのトンネル通信を前記第1のHA-Uによって実行するステップと、を含み、
前記トンネル通信は、前記構成メッセージの中で搬送される前記MNの前記HoA及び前記CoAと前記第1のBAメッセージの中で搬送される前記第1のHA-Uの前記アドレスとにしたがって、前記第1のHA-Uと前記MNとの間で実行される、
コンピュータ・プログラム。
【請求項４２】
複数のコンピュータ実行可能な命令を含むコンピュータ・プログラムであって、前記複数のコンピュータ実行可能な命令は、モバイル・ノード(MN)のプロセッサで実行されると、前記MNに、通信システムに適用されるモビリティ管理方法を実行させ、前記通信システムは、ホーム・エージェント制御プレーン(HA-C)、第1のホーム・エージェント・ユーザ・プレーン(HA-U)、及び前記MNを含み、前記第1のHA-Uは、第1のネットワークの中に位置し、前記第1のHA-Uは、第1のプロキシ・サーバ又はゲートウェイに配置され、前記HA-Cは、第2のプロキシ・サーバに配置され、前記方法は、
前記MNが前記第1のネットワークにアクセスする場合に、前記MNによって前記HA-Cに、第1のバインディング更新(BU)メッセージを送信するステップと、
前記HA-Cによって送信された第1のバインディング確認応答(BA)メッセージを前記MNによって受信するステップであって、前記第1のBAメッセージは、前記第1のHA-Uのアドレスを含む、ステップと、
前記MNが、前記第1のネットワークから、前記第1のネットワークとは異なる第2のネットワークに移動した後に、前記MNによって前記HA-Cに第2のバインディング更新(BU)メッセージを送信するステップであって、前記第2のBUメッセージは、前記MNのホーム・アドレス(HoA)及び気付アドレス(CoA)を含む、ステップと、
前記第1のHA-Uの前記アドレスにしたがって、前記第1のHA-Uとのトンネル通信を前記MNによって実行するステップと、を含み、
前記MNが前記HA-Cに送信した前記第2のBUメッセージにしたがって、構成メッセージが、前記HA-Cによって前記第1のHA-Uに送信され、前記構成メッセージは、前記MNの前記HoA及び前記CoAを含み、
前記トンネル通信は、前記構成メッセージの中で搬送される前記MNの前記HoA及び前記CoAと前記第1のBAメッセージの中で搬送される前記第1のHA-Uの前記アドレスとにしたがって、前記第1のHA-Uと前記MNとの間で実行される、
コンピュータ・プログラム。
【発明の詳細な説明】
【技術分野】
【０００１】
本発明の実施形態は、通信技術に関し、特に、モビリティ管理方法、装置、及びシステムに関する。
【背景技術】
【０００２】
インターネット及びモバイル通信の漸進的な融合に伴って、ますます多数の人々が、(例えば、携帯電話等の)モバイル・ノードを使用することによって、いずれかの時間に及びいずれかの場所において、インターネットにアクセスする。
【０００３】
従来技術においては、モバイル・ノード(MN，Mobile  Node)が第1のネットワークに最初にアクセスする場合に、MNは、第1のネットワークの中のホーム・エージェント(HA，Home  Agent)によってMNに割り当てられたホーム・アドレス(HoA，Home  Address)を取得する。MNは、HoAを使用することによって対応するノード(CN，Correspondent  Node)と通信する。MNが第2のネットワークに移動する場合に、MNは、第2のネットワークによってMNに割り当てられた気付アドレス(CoA，Care-of-Address)を取得する。その後、MNは、バインディング更新(BU，Binding  Update)メッセージを使用することによって、HAにHoA及びCoAを送信し、HAは、MNについてバインディング・キャッシュ・エントリ(BCE，Binding  Cache  Entry)を生成し、MNにバインディング確認応答(BA，Binding  Acknowledgement)メッセージを返す。MNが第2のネットワークに移動することに起因して、MNとCNとの間の通信が中断されるという問題を回避するために、CNがMNにデータ・パケット(データ・パケットは、MNのHoAを含む)を送信する場合に、データ・パケットは、MNの第1のネットワークのリンクにルーティングされ、その後、HAによって捕捉される。HAは、トンネル通信によりデータ・パケットをMNに送信する(トンネル・カプセル化の宛先アドレスは、MNのCoAである)。同様に、MNがCNにデータ・パケットを送信する必要がある場合に、MNは、データ・パケットにトンネル・カプセル化を実行し、HAに、カプセル化されたデータ・パケットを送信する。HAは、トンネル・カプセル化が実行されたデータ・パケットを受信した後に、そのカプセル化されたデータ・パケットにトンネル・デカプセル化を実行し、その後、CNにデカプセル化されたデータ・パケットを転送する。
【０００４】
しかしながら、従来技術においては、HAは、プロキシ・サーバ又は(例えば、パケット・データ・ネットワーク・ゲートウェイ(PGW，Packet  Data  Network  Gateway)等の)ゲートウェイに配置されるので、プロキシ・サーバ又はゲートウェイの負荷が比較的重くなる。
【発明の概要】
【０００５】
本発明の実施形態は、モビリティ管理方法、装置、及びシステムを提供して、プロキシ・サーバ又はゲートウェイの負荷が比較的重くなるという従来技術の問題を解決する。
【０００６】
第1の態様によれば、本発明は、通信システムに適用されるモビリティ管理方法であって、前記通信システムは、ホーム・エージェント制御プレーン(HA-C)、第1のホーム・エージェント・ユーザ・プレーン(HA-U)、及びモバイル・ノード(MN)を含み、前記第1のHA-Uは、第1のネットワークの中に位置し、前記第1のHA-Uは、第1のプロキシ・サーバ又はゲートウェイに配置され、前記HA-Cは、第2のプロキシ・サーバに配置され、当該方法は、
前記MNが前記第1のネットワークにアクセスする場合に、前記MNによって送信された第1のバインディング更新(BU)メッセージを前記HA-Cによって受信するステップと、
前記第1のBUメッセージにしたがって、前記HA-Cにより前記MNに、第1のバインディング確認応答(BA)メッセージを送信するステップであって、前記第1のBAメッセージは、前記第1のHA-Uのアドレスを含み、それによって、前記MNが前記第1のネットワークから第2のネットワークに移動した後に、前記MNは、前記第1のHA-Uの前記アドレスにしたがって、前記第1のHA-Uとのトンネル通信を実行する、ステップと、
前記MNが前記第1のネットワークから前記第2のネットワークに移動した後に、前記MNによって送信された第2のBUメッセージを前記HA-Cによって受信するステップであって、前記第2のBUメッセージは、前記MNのホーム・アドレス(HoA)及び気付アドレス(CoA)を含む、ステップと、
前記HA-Cによって前記第1のHA-Uに構成メッセージを送信するステップであって、前記構成メッセージは、前記MNの前記HoA及び前記CoAを含み、それによって、前記第1のHA-Uは、前記構成メッセージにしたがって、前記MNとのトンネル通信を実行する、ステップと、を含む、モビリティ管理方法を提供する。
【０００７】
第1の態様との関連で、第1の態様の第1の可能な実装形態では、前記第1のネットワークが少なくとも2つのHA-Uを含み、前記少なくとも2つのHA-Uが、異なるプロキシ・サーバ又は異なるゲートウェイに個別に配置される場合に、前記HA-Cによって前記MNに、第1のBAメッセージを送信するステップの前に、当該方法は、
負荷平衡規則にしたがって、前記第1のネットワークに含まれる前記少なくとも2つのHA-Uから前記第1のHA-Uを前記HA-Cによって決定するステップをさらに含む。
【０００８】
第1の態様の第1の可能な実装形態との関連で、第1の態様の第2の可能な実装形態では、負荷平衡規則にしたがって、前記第1のネットワークに含まれる前記少なくとも2つのHA-Uから前記第1のHA-Uを前記HA-Cによって決定するステップは、
前記HA-Cによって、前記第1のネットワークに含まれる前記少なくとも2つのHA-Uのうち、最小の負荷を有するHA-Uを前記第1のHA-Uとして決定するステップを含む。
【０００９】
第1の態様の第1又は第2の可能な実装形態との関連で、第1の態様の第3の可能な実装形態では、前記第1のBUメッセージは、前記MNの前記HoAを含み、負荷平衡規則にしたがって、前記第1のネットワークに含まれる前記少なくとも2つのHA-Uから前記第1のHA-Uを前記HA-Cによって決定するステップの後に、当該方法は、
前記MNについてバインディング・キャッシュ・エントリ(BCE)を前記HA-Cによって生成するステップをさらに含み、前記BCEは、前記第1のHA-Uの前記アドレス及び前記HoAを含み、
前記MNが前記第1のネットワークから前記第2のネットワークに移動した後に、前記MNによって送信された第2のBUメッセージを前記HA-Cによって受信するステップの後に、当該方法は、
前記第2のBUメッセージに含まれる前記MNの前記CoAにしたがって、前記HA-Cにより前記BCEを更新して、更新されたBCEを取得するステップをさらに含み、前記更新されたBCEは、前記第1のHA-Uの前記アドレス、前記HoA、及び前記CoAを含む。
【００１０】
第1の態様又は第1の態様の第1から第3の可能な実装形態のいずれか1つとの関連で、第1の態様の第4の可能な実装形態では、前記通信システムは、第2のHA-Uをさらに含み、前記第2のHA-Uは、前記第2のネットワークの中に位置し、
前記MNが前記第1のネットワークから前記第2のネットワークに移動した後に、前記MNによって送信された第2のBUメッセージを前記HA-Cによって受信するステップの後に、当該方法は、
前記MNのHA-Uが、前記第2のネットワークの中に位置する前記第2のHA-Uを含むということを前記HA-Cによって決定するステップと、
前記HA-Cによって前記MNに第2のBAメッセージを送信するステップと、をさらに含み、前記第2のBAメッセージは、前記第2のHA-Uのアドレスを含み、それによって、前記MNが、前記第2のネットワークから、前記第2のネットワークとは異なる第3のネットワークに移動した後に、前記MNは、前記第2のHA-Uの前記アドレスにしたがって、前記第2のHA-Uとのトンネル通信を実行する。
【００１１】
第1の態様の第4の可能な実装形態との関連で、第1の態様の第5の可能な実装形態では、前記第2のネットワークが少なくとも2つのHA-Uを含み、前記少なくとも2つのHA-Uが、異なるプロキシ・サーバ又は異なるゲートウェイに個別に配置される場合に、前記MNのHA-Uが、前記第2のネットワークの中に位置する前記第2のHA-Uを含むということを前記HA-Cによって決定するステップは、
前記MNの前記HA-Uが、前記第2のネットワークの中に位置するHA-Uを含むということを前記HA-Cによって決定するステップと、
前記負荷平衡規則にしたがって、前記第2のネットワークに含まれる前記少なくとも2つのHA-Uから、前記MNのHA-Uであって前記第2のネットワークの中に存在する前記HA-Uが、前記第2のHA-Uであるということを前記HA-Cによって決定するステップと、を含む。
【００１２】
第1の態様又は第1の態様の第1から第5の可能な実装形態のいずれか1つとの関連で、第1の態様の第6の可能な実装形態では、前記構成メッセージは、トンネル・タイプをさらに含み、前記トンネル・タイプは、トンネル通信が実行されるときに使用されるトンネル・プロトコルを示すのに使用され、
前記第1のBAメッセージは、前記トンネル・タイプをさらに含む。
【００１３】
第1の態様の第6の可能な実装形態との関連で、第1の態様の第7の可能な実装形態では、前記構成メッセージは、トンネル・パラメータをさらに含み、前記トンネル・パラメータは、トンネル通信が、前記トンネル・タイプによって示される前記トンネル・プロトコルを使用することにより実行されるときに使用される関連するパラメータであり、
前記第1のBAメッセージは、前記トンネル・パラメータをさらに含む。
【００１４】
第1の態様又は第1の態様の第1から第7の可能な実装形態のいずれか1つとの関連で、第1の態様の第8の可能な実装形態では、前記MNによって送信された第2のBUメッセージを前記HA-Cによって受信するステップの後に、当該方法は、
前記MNによって送信されたモバイル・プレフィックス要請(MPS)メッセージを前記HA-Cによって受信して、前記MNにモバイル・プレフィックス広告(MPA)メッセージを返すステップをさらに含む。
【００１５】
第1の態様又は第1の態様の第1から第8の可能な実装形態のいずれか1つとの関連で、第1の態様の第9の可能な実装形態では、前記通信システムは、対応するノード(CN)をさらに含み、前記CNは、前記第1のネットワークを使用することによって前記MNと通信し、
前記MNによって送信された第2のBUメッセージを前記HA-Cによって受信するステップの後に、当該方法は、
前記MNによって送信されたホーム・テスト初期化(HTI)メッセージを前記HA-Cによって受信し、前記CNに前記HTIメッセージを転送するステップをさらに含む。
【００１６】
第2の態様によれば、本発明は、通信システムに適用されるモビリティ管理方法であって、前記通信システムは、ホーム・エージェント制御プレーン(HA-C)、第1のホーム・エージェント・ユーザ・プレーン(HA-U)、及びモバイル・ノード(MN)を含み、前記第1のHA-Uは、第1のネットワークの中に位置し、前記第1のHA-Uは、第1のプロキシ・サーバ又はゲートウェイに配置され、前記HA-Cは、第2のプロキシ・サーバに配置され、当該方法は、
前記HA-Cによって送信された構成メッセージを前記第1のHA-Uによって受信するステップであって、前記構成メッセージは、前記MNのホーム・アドレス(HoA)及び気付アドレス(CoA)を含む、ステップと、
前記構成メッセージにしたがって前記MNとのトンネル通信を前記第1のHA-Uによって実行するステップと、を含む、モビリティ管理方法を提供する。
【００１７】
第2の態様との関連で、第2の態様の第1の可能な実装形態では、前記通信システムは、対応するノードCNをさらに含み、前記CNは、前記第1のネットワークを使用することによって前記MNと通信し、
前記構成メッセージにしたがって前記MNとのトンネル通信を前記第1のHA-Uによって実行するステップは、
前記MNによって送信された第1のデータ・パケットを前記第1のHA-Uによって受信するステップであって、前記第1のデータ・パケットは、前記MNが、前記第1のHA-Uのアドレスにしたがって、第2のデータ・パケットにトンネル・カプセル化を実行した後に取得されるデータ・パケットであり、前記第2のデータ・パケットは、前記MNによって前記CNに送信されるデータ・パケットである、ステップと、
前記第1のHA-Uによって、前記第1のデータ・パケットにトンネル・デカプセル化を実行して、前記第2のデータ・パケットを取得し、前記CNに前記第2のデータ・パケットを転送するステップと、を含む。
【００１８】
第2の態様の第1の可能な実装形態との関連で、第2の態様の第2の可能な実装形態では、前記構成メッセージにしたがって前記MNとのトンネル通信を前記第1のHA-Uによって実行するステップは、
第3のデータ・パケットに含まれる前記MNの前記HoAにしたがって、前記第3のデータ・パケットが前記CNによって前記MNに送信されるデータ・パケットであるということを前記第1のHA-Uによって決定するステップと、
前記MNの前記CoAにしたがって前記第1のHA-Uによって、前記第3のデータ・パケットにトンネル・カプセル化を実行して、第4のデータ・パケットを取得し、そして、前記MNに前記第4のデータ・パケットを転送し、それによって、前記MNは、前記第4のデータ・パケットにトンネル・デカプセル化を実行して、前記第3のデータ・パケットを取得するステップと、をさらに含む。
【００１９】
第2の態様の第1又は第2の可能な実装形態との関連で、第2の態様の第3の可能な実装形態では、前記構成メッセージは、トンネル・タイプをさらに含み、前記トンネル・タイプは、トンネル通信が実行されるときに使用されるトンネル・プロトコルを示すのに使用され、
それに応じて、前記第1のHA-Uによって、前記第1のデータ・パケットにトンネル・デカプセル化を実行するステップは、
前記トンネル・タイプに対応する前記トンネル・プロトコルにしたがって、前記第1のHA-Uによって、前記第1のデータ・パケットにトンネル・デカプセル化を実行するステップを含む。
【００２０】
第2の態様の第3の可能な実装形態との関連で、第2の態様の第4の可能な実装形態では、前記構成メッセージは、トンネル・パラメータをさらに含み、前記トンネル・パラメータは、トンネル通信が、前記トンネル・タイプによって示される前記トンネル・プロトコルを使用することにより実行されるときに使用される関連するパラメータであり、
それに応じて、前記トンネル・タイプに対応する前記トンネル・プロトコルにしたがって、前記第1のHA-Uによって、前記第1のデータ・パケットにトンネル・デカプセル化を実行するステップは、
前記トンネル・タイプに対応する前記トンネル・プロトコル及び前記トンネル・パラメータにしたがって前記第1のHA-Uによって、前記第1のデータ・パケットにトンネル・デカプセル化を実行するステップを含む。
【００２１】
第2の態様又は第2の態様の第1から第4の可能な実装形態のいずれか1つとの関連で、第2の態様の第5の可能な実装形態では、前記構成メッセージにしたがって前記MNとのトンネル通信を前記第1のHA-Uによって実行するステップの後に、当該方法は、
前記MNによって送信されたモバイル・プレフィックス要請(MPS)メッセージを前記第1のHA-Uによって受信し、前記MNにモバイル・プレフィックス広告(MPA)メッセージを返すステップをさらに含む。
【００２２】
第2の態様又は第2の態様の第1から第5の可能な実装形態のいずれか1つとの関連で、第2の態様の第6の可能な実装形態では、前記構成メッセージにしたがって前記MNとのトンネル通信を前記第1のHA-Uによって実行するステップの後に、当該方法は、
前記MNによって送信されたホーム・テスト初期化(HTI)メッセージを前記第1のHA-Uによって受信し、前記CNに前記HTIメッセージを転送するステップをさらに含む。
【００２３】
第3の態様によれば、本発明は、通信システムに適用されるモビリティ管理方法であって、前記通信システムは、ホーム・エージェント制御プレーン(HA-C)、第1のホーム・エージェント・ユーザ・プレーン(HA-U)、及びモバイル・ノード(MN)を含み、前記第1のHA-Uは、第1のネットワークの中に位置し、前記第1のHA-Uは、第1のプロキシ・サーバ又はゲートウェイに配置され、前記HA-Cは、第2のプロキシ・サーバに配置され、当該方法は、
前記MNが前記第1のネットワークにアクセスする場合に、前記MNによって前記HA-Cに、第1のバインディング更新(BU)メッセージを送信するステップと、
前記HA-Cによって送信された第1のバインディング確認応答(BA)メッセージを前記MNによって受信するステップであって、前記第1のBAメッセージは、前記第1のHA-Uのアドレスを含む、ステップと、
前記MNが、前記第1のネットワークから、前記第1のネットワークとは異なる第2のネットワークに移動した後に、前記MNによって前記HA-Cに第2のBUメッセージを送信するステップであって、前記第2のBUメッセージは、前記MNのホーム・アドレス(HoA)及び気付アドレス(CoA)を含み、それによって、前記HA-Cは、構成メッセージを使用することによって、前記第1のHA-Uに前記MNの前記HoA及び前記CoAを送信する、ステップと、
前記第1のHA-Uの前記アドレスにしたがって、前記第1のHA-Uとのトンネル通信を前記MNによって実行するステップと、を含む、モビリティ管理方法を提供する。
【００２４】
第3の態様との関連で、第3の態様の第1の可能な実装形態では、前記通信システムは、第2のHA-Uをさらに含み、前記第2のHA-Uは、前記第2のネットワークの中に位置し、
前記MNによって前記HA-Cに第2のBUメッセージを送信するステップの後に、当該方法は、
前記HA-Cによって送信された第2のBAメッセージを前記MNによって受信するステップをさらに含み、前記第2のBAメッセージは、前記第2のHA-Uのアドレスを含む。
【００２５】
第3の態様又は第3の態様の第1の可能な実装形態との関連で、第3の態様の第2の可能な実装形態では、前記MNが、前記第2のネットワークから、前記第2のネットワークとは異なる第3のネットワークに移動する場合に、前記MNは、前記第2のBAメッセージにしたがって、前記第2のHA-Uとのトンネル通信を実行する。
【００２６】
第3の態様又は第3の態様の第1から第2の可能な実装形態のいずれか1つとの関連で、第3の態様の第3の可能な実装形態では、前記通信システムは、対応するノード(CN)をさらに含み、前記CNは、前記第1のネットワークを使用することによって前記MNと通信し、
前記第1のHA-Uの前記アドレスにしたがって、前記第1のHA-Uとのトンネル通信を前記MNによって実行するステップは、
前記第1のHA-Uの前記アドレスにしたがって、前記MNによって、第2のデータ・パケットにトンネル・カプセル化を実行して、第1のデータ・パケットを取得し、そして、前記第1のHA-Uに前記第1のデータ・パケットを送信し、それによって、前記第1のHA-Uは、前記第1のデータ・パケットにトンネル・デカプセル化を実行して、前記第2のデータ・パケットを取得し、前記CNに前記第2のデータ・パケットを転送するステップを含み、前記第2のデータ・パケットは、前記MNによって前記CNに送信されるデータ・パケットである。
【００２７】
第3の態様の第3の可能な実装形態との関連で、第3の態様の第4の可能な実装形態では、前記MNによって、前記第1のHA-Uの前記アドレスにしたがって、前記第1のHA-Uとのトンネル通信を実行するステップは、
前記第1のHA-Uによって送信された第4のデータ・パケットを前記MNによって受信するステップであって、前記第4のデータ・パケットは、前記第1のHA-Uが、前記MNの前記CoAにしたがって、第3のデータ・パケットにトンネル・カプセル化を実行した後に取得されるデータ・パケットであり、前記第3のデータ・パケットは、前記CNによって前記MNに送信されるデータ・パケットである、ステップと、
前記MNによって、前記第4のデータ・パケットにトンネル・デカプセル化を実行して、前記第3のデータ・パケットを取得するステップと、をさらに含む。
【００２８】
第3の態様の第3又は第4の可能な実装形態との関連で、第3の態様の第5の可能な実装形態では、前記第1のBAメッセージは、トンネル・タイプをさらに含み、前記トンネル・タイプは、トンネル通信が実行されるときに使用されるトンネル・プロトコルを示すのに使用され、
前記第1のHA-Uの前記アドレスにしたがって、前記MNによって、第2のデータ・パケットにトンネル・カプセル化を実行するステップは、
前記トンネル・タイプに対応する前記トンネル・プロトコル及び前記第1のHA-Uの前記アドレスにしたがって、前記MNによって、前記第2のデータ・パケットにトンネル・カプセル化を実行するステップを含む。
【００２９】
第3の態様の第5の可能な実装形態との関連で、第3の態様の第6の可能な実装形態では、前記第1のBAメッセージは、トンネル・パラメータをさらに含み、前記トンネル・パラメータは、トンネル通信が、前記トンネル・タイプによって示される前記トンネル・プロトコルを使用することにより実行されるときに使用される関連するパラメータであり、
前記トンネル・タイプに対応する前記トンネル・プロトコル及び前記第1のHA-Uの前記アドレスにしたがって、前記MNによって、前記第2のデータ・パケットにトンネル・カプセル化を実行するステップは、
前記トンネル・タイプに対応する前記トンネル・プロトコル、前記第1のHA-Uの前記アドレス、及び前記トンネル・パラメータにしたがって、前記MNによって、前記第2のデータ・パケットにトンネル・カプセル化を実行するステップを含む。
【００３０】
第3の態様又は第3の態様の第1から第6の可能な実装形態のいずれか1つとの関連で、第3の態様の第7の可能な実装形態では、前記第1のHA-Uの前記アドレスにしたがって、前記第1のHA-Uとのトンネル通信を前記MNによって実行するステップの後に、当該方法は、
前記MNによって前記HA-Cに、モバイル・プレフィックス要請(MPS)メッセージを送信し、前記HA-Cによって送信されたモバイル・プレフィックス広告(MPA)メッセージを受信するステップ、又は、前記MNによって前記第1のHA-UにMPSメッセージを送信し、前記第1のHA-Uによって送信されたMPAメッセージを受信するステップをさらに含む。
【００３１】
第3の態様又は第3の態様の第1から第7の可能な実装形態のいずれか1つとの関連で、第3の態様の第8の可能な実装形態では、前記第1のHA-Uの前記アドレスにしたがって、前記第1のHA-Uとのトンネル通信を前記MNによって実行するステップの後に、当該方法は、
前記MNによって前記HA-Cに、ホーム・テスト初期化HTIメッセージを送信するステップ、又は、前記MNによって前記第1のHA-UにHTIメッセージを送信するステップをさらに含む。
【００３２】
第4の態様によれば、本発明は、モビリティ管理装置であって、当該装置は、ホーム・エージェント制御プレーン(HA-C)であり、当該装置は、通信システムに適用され、前記通信システムは、前記HA-C、第1のホーム・エージェント・ユーザ・プレーン(HA-U)、及びモバイル・ノード(MN)を含み、前記第1のHA-Uは、第1のネットワークの中に位置し、前記第1のHA-Uは、第1のプロキシ・サーバ又はゲートウェイに配置され、前記HA-Cは、第2のプロキシ・サーバに配置され、当該装置は、
前記MNが前記第1のネットワークにアクセスする場合に、前記MNによって送信された第1のバインディング更新(BU)メッセージを受信するように構成される受信モジュールと、
前記第1のBUメッセージにしたがって、前記MNに第1のバインディング確認応答(BA)メッセージを送信するように構成される送信モジュールと、を含み、前記第1のBAメッセージは、前記第1のHA-Uのアドレスを含み、それによって、前記MNが前記第1のネットワークから第2のネットワークに移動した後に、前記MNは、前記第1のHA-Uの前記アドレスにしたがって、前記第1のHA-Uとのトンネル通信を実行し、
前記受信モジュールは、さらに、前記MNが前記第1のネットワークから前記第2のネットワークに移動した後に、前記MNによって送信された第2のBUメッセージを受信するように構成され、前記第2のBUメッセージは、前記MNのホーム・アドレス(HoA)及び気付アドレス(CoA)を含み、
前記送信モジュールは、さらに、前記第1のHA-Uに構成メッセージを送信するように構成され、前記構成メッセージは、前記MNの前記HoA及び前記CoAを含み、それによって、前記第1のHA-Uは、前記構成メッセージにしたがって、前記MNとのトンネル通信を実行する、モビリティ管理装置を提供する。
【００３３】
第4の態様との関連で、第4の態様の第1の可能な実装形態では、前記第1のネットワークが少なくとも2つのHA-Uを含み、前記少なくとも2つのHA-Uが、異なるプロキシ・サーバ又は異なるゲートウェイに個別に配置される場合に、当該装置は、負荷平衡規則にしたがって、前記第1のネットワークに含まれる前記少なくとも2つのHA-Uから前記第1のHA-Uを決定するように構成される処理モジュールをさらに含む。
【００３４】
第4の態様の第1の可能な実装形態との関連で、第4の態様の第2の可能な実装形態では、前記処理モジュールは、特に、前記第1のネットワークに含まれる前記少なくとも2つのHA-Uのうち、最小の負荷を有するHA-Uを前記第1のHA-Uとして決定するように構成される。
【００３５】
第4の態様の第1又は第2の可能な実装形態との関連で、第4の態様の第3の可能な実装形態では、前記第1のBUメッセージは、前記MNの前記HoAを含み、
前記処理モジュールは、さらに、前記MNについてバインディング・キャッシュ・エントリ(BCE)を生成し、前記BCEは、前記第1のHA-Uの前記アドレス及び前記HoAを含み、前記第2のBUメッセージに含まれる前記MNの前記CoAにしたがって、前記BCEを更新して、更新されたBCEを取得するように構成され、前記更新されたBCEは、前記第1のHA-Uの前記アドレス、前記HoA、及び前記CoAを含む。
【００３６】
第4の態様又は第4の態様の第1から第3の可能な実装形態のいずれか1つとの関連で、第4の態様の第4の可能な実装形態では、前記通信システムは、第2のHA-Uをさらに含み、前記第2のHA-Uは、前記第2のネットワークの中に位置し、
前記処理モジュールは、さらに、前記MNのHA-Uが、前記第2のネットワークの中に位置する前記第2のHA-Uを含むということを決定するように構成され、
前記送信モジュールは、さらに、前記MNに第2のBAメッセージを送信するように構成され、前記第2のBAメッセージは、前記第2のHA-Uのアドレスを含み、それによって、前記MNが、前記第2のネットワークから、前記第2のネットワークとは異なる第3のネットワークに移動した後に、前記MNは、前記第2のHA-Uの前記アドレスにしたがって、前記第2のHA-Uとのトンネル通信を実行する。
【００３７】
第4の態様の第4の可能な実装形態との関連で、第4の態様の第5の可能な実装形態では、前記第2のネットワークが少なくとも2つのHA-Uを含み、前記少なくとも2つのHA-Uが、異なるプロキシ・サーバ又は異なるゲートウェイに個別に配置される場合に、前記処理モジュールは、特に、前記MNの前記HA-Uが、前記第2のネットワークの中に位置するHA-Uを含むということを決定し、前記負荷平衡規則にしたがって、前記第2のネットワークに含まれる前記少なくとも2つのHA-Uから、前記MNのHA-Uであって前記第2のネットワークの中に存在する前記HA-Uが、前記第2のHA-Uであるということを決定するように構成される。
【００３８】
第4の態様又は第4の態様の第1から第5の可能な実装形態のいずれか1つとの関連で、第4の態様の第6の可能な実装形態では、前記構成メッセージは、トンネル・タイプをさらに含み、前記トンネル・タイプは、トンネル通信が実行されるときに使用されるトンネル・プロトコルを示すのに使用され、
前記第1のBAメッセージは、前記トンネル・タイプをさらに含む。
【００３９】
第4の態様の第6の可能な実装形態との関連で、第4の態様の第7の可能な実装形態では、前記構成メッセージは、トンネル・パラメータをさらに含み、前記トンネル・パラメータは、トンネル通信が、前記トンネル・タイプによって示される前記トンネル・プロトコルを使用することにより実行されるときに使用される関連するパラメータであり、
前記第1のBAメッセージは、前記トンネル・パラメータをさらに含む。
【００４０】
第4の態様又は第4の態様の第1から第7の可能な実装形態のいずれか1つとの関連で、第4の態様の第8の可能な実装形態では、前記受信モジュールは、さらに、前記MNによって送信されたモバイル・プレフィックス要請(MPS)メッセージを受信するように構成され、
前記送信モジュールは、さらに、前記MNにモバイル・プレフィックス広告(MPA)メッセージを返すように構成される。
【００４１】
第4の態様又は第4の態様の第1から第8の可能な実装形態のいずれか1つとの関連で、第4の態様の第9の可能な実装形態では、前記通信システムは、対応するノード(CN)をさらに含み、前記CNは、前記第1のネットワークを使用することによって前記MNと通信し、
前記受信モジュールは、さらに、前記MNによって送信されたホーム・テスト初期化(HTI)メッセージを受信するように構成され、
前記送信モジュールは、さらに、前記CNに前記HTIメッセージを転送するように構成される。
【００４２】
第5の態様によれば、本発明は、モビリティ管理装置であって、当該装置は、第1のホーム・エージェント・ユーザ・プレーン(HA-U)であり、当該装置は、通信システムに適用され、前記通信システムは、ホーム・エージェント制御プレーン(HA-C)、前記第1のHA-U、及びモバイル・ノード(MN)を含み、前記第1のHA-Uは、第1のネットワークの中に位置し、前記第1のHA-Uは、第1のプロキシ・サーバ又はゲートウェイに配置され、前記HA-Cは、第2のプロキシ・サーバに配置され、当該装置は、
前記HA-Cによって送信された構成メッセージを受信するように構成される受信モジュールであって、前記構成メッセージは、前記MNのホーム・アドレス(HoA)及び気付アドレス(CoA)を含む、受信モジュールと、
前記構成メッセージにしたがって前記MNとのトンネル通信を実行するように構成されるトンネル通信モジュールと、を含む、モビリティ管理装置を提供する。
【００４３】
第5の態様との関連で、第5の態様の第1の可能な実装形態では、前記通信システムは、対応するノード(CN)をさらに含み、前記CNは、前記第1のネットワークを使用することによって前記MNと通信し、
前記トンネル通信モジュールは、特に、
前記MNによって送信された第1のデータ・パケットを受信し、前記第1のデータ・パケットは、前記MNが、前記第1のHA-Uのアドレスにしたがって、第2のデータ・パケットにトンネル・カプセル化を実行した後に取得されるデータ・パケットであり、前記第2のデータ・パケットは、前記MNによって前記CNに送信されるデータ・パケットであり、
前記第1のデータ・パケットにトンネル・デカプセル化を実行して、前記第2のデータ・パケットを取得し、前記CNに前記第2のデータ・パケットを転送する、ように構成される。
【００４４】
第5の態様の第1の可能な実装形態との関連で、第5の態様の第2の可能な実装形態では、前記トンネル通信モジュールは、さらに、
第3のデータ・パケットに含まれる前記MNの前記HoAにしたがって、前記第3のデータ・パケットが、前記CNによって前記MNに送信されるデータ・パケットであるということを決定し、
前記MNの前記CoAにしたがって、前記第3のデータ・パケットにトンネル・カプセル化を実行して、第4のデータ・パケットを取得し、そして、前記MNに前記第4のデータ・パケットを転送し、それによって、前記MNは、前記第4のデータ・パケットにトンネル・デカプセル化を実行して、前記第3のデータ・パケットを取得する、ように構成される。
【００４５】
第5の態様の第1又は第2の可能な実装形態との関連で、第5の態様の第3の可能な実装形態では、前記構成メッセージは、トンネル・タイプをさらに含み、前記トンネル・タイプは、トンネル通信が実行されるときに使用されるトンネル・プロトコルを示すのに使用され、
それに応じて、前記トンネル通信モジュールは、特に、前記トンネル・タイプに対応する前記トンネル・プロトコルにしたがって、前記第1のデータ・パケットにトンネル・デカプセル化を実行するように構成される。
【００４６】
第5の態様の第3の可能な実装形態との関連で、第5の態様の第4の可能な実装形態では、前記構成メッセージは、トンネル・パラメータをさらに含み、前記トンネル・パラメータは、トンネル通信が、前記トンネル・タイプによって示される前記トンネル・プロトコルを使用することにより実行されるときに使用される関連するパラメータであり、
それに応じて、前記トンネル通信モジュールは、特に、前記トンネル・タイプに対応する前記トンネル・プロトコル及び前記トンネル・パラメータにしたがって、前記第1のデータ・パケットにトンネル・デカプセル化を実行するように構成される。
【００４７】
第5の態様又は第5の態様の第1から第4の可能な実装形態のいずれか1つとの関連で、第5の態様の第5の可能な実装形態では、前記受信モジュールは、さらに、前記MNによって送信されたモバイル・プレフィックス要請(MPS)メッセージを受信するように構成され、
当該装置は、前記MNにモバイル・プレフィックス広告(MPA)メッセージを返すように構成される第1の送信モジュールをさらに含む。
【００４８】
第5の態様又は第5の態様の第1から第5の可能な実装形態のいずれか1つとの関連で、第5の態様の第6の可能な実装形態では、前記受信モジュールは、さらに、前記MNによって送信されたホーム・テスト初期化(HTI)メッセージを受信するように構成され、
当該装置は、前記CNに前記HTIメッセージを転送するように構成される第2の送信モジュールをさらに含む。
【００４９】
第6の態様によれば、本発明は、モビリティ管理装置であって、当該装置は、モバイル・ノード(MN)であり、当該装置は、通信システムに適用され、通信システムは、ホーム・エージェント制御プレーン(HA-C)、第1のホーム・エージェント・ユーザ・プレーン(HA-U)、及び前記MNを含み、前記第1のHA-Uは、第1のネットワークの中に位置し、前記第1のHA-Uは、第1のプロキシ・サーバ又はゲートウェイに配置され、前記HA-Cは、第2のプロキシ・サーバに配置され、当該装置は、
前記MNが前記第1のネットワークにアクセスする場合に、前記HA-Cに第1のバインディング更新(BU)メッセージを送信するように構成される送信モジュールと、
前記HA-Cによって送信された第1のバインディング確認応答(BA)メッセージを受信するように構成される受信モジュールと、を含み、前記第1のBAメッセージは、前記第1のHA-Uのアドレスを含み、
前記送信モジュールは、さらに、前記MNが、前記第1のネットワークから、前記第1のネットワークとは異なる第2のネットワークに移動した後に、前記HA-Cに第2のBUメッセージを送信するように構成され、前記第2のBUメッセージは、前記MNのホーム・アドレス(HoA)及び気付アドレス(CoA)を含み、それによって、前記HA-Cは、構成メッセージを使用することによって、前記第1のHA-Uに前記MNの前記HoA及び前記CoAを送信し、
前記第1のHA-Uの前記アドレスにしたがって、前記第1のHA-Uとのトンネル通信を実行するように構成されるトンネル通信モジュールを含む、モビリティ管理装置を提供する。
【００５０】
第6の態様との関連で、第6の態様の第1の可能な実装形態では、前記通信システムは、第2のHA-Uをさらに含み、前記第2のHA-Uは、前記第2のネットワークの中に位置し、
前記受信モジュールは、さらに、前記HA-Cによって送信された第2のBAメッセージを受信するように構成され、前記第2のBAメッセージは、前記第2のHA-Uのアドレスを含む。
【００５１】
第6の態様の第1の可能な実装形態との関連で、第6の態様の第2の可能な実装形態では、前記MNが、前記第2のネットワークから、前記第2のネットワークとは異なる第3のネットワークに移動する場合に、前記トンネル通信モジュールは、さらに、前記第2のBAメッセージにしたがって、前記第2のHA-Uとのトンネル通信を実行するように構成される。
【００５２】
第6の態様又は第6の態様の第1から第2の可能な実装形態のいずれか1つとの関連で、第6の態様の第3の可能な実装形態では、前記通信システムは、対応するノード(CN)をさらに含み、前記CNは、前記第1のネットワークを使用することによって前記MNと通信し、
前記トンネル通信モジュールは、特に、前記第1のHA-Uの前記アドレスにしたがって、第2のデータ・パケットにトンネル・カプセル化を実行して、第1のデータ・パケットを取得し、そして、前記第1のHA-Uに前記第1のデータ・パケットを送信するように構成され、それによって、前記第1のHA-Uは、前記第1のデータ・パケットにトンネル・デカプセル化を実行して、前記第2のデータ・パケットを取得し、前記CNに前記第2のデータ・パケットを転送し、前記第2のデータ・パケットは、前記MNによって前記CNに送信されるデータ・パケットである。
【００５３】
第6の態様の第3の可能な実装形態との関連で、第6の態様の第4の可能な実装形態では、前記トンネル通信モジュールは、さらに、
前記第1のHA-Uによって送信された第4のデータ・パケットを受信し、前記第4のデータ・パケットは、前記第1のHA-Uが、前記MNの前記CoAにしたがって、第3のデータ・パケットにトンネル・カプセル化を実行した後に取得されるデータ・パケットであり、前記第3のデータ・パケットは、前記CNによって前記MNに送信されるデータ・パケットであり、
前記第4のデータ・パケットにトンネル・デカプセル化を実行して、前記第3のデータ・パケットを取得する、ように構成される。
【００５４】
第6の態様の第3又は第4の可能な実装形態との関連で、第6の態様の第5の可能な実装形態では、前記第1のBAメッセージは、トンネル・タイプをさらに含み、前記トンネル・タイプは、トンネル通信が実行されるときに使用されるトンネル・プロトコルを示すのに使用され、
前記第1のBAメッセージに応じて、前記トンネル通信モジュールは、特に、前記トンネル・タイプに対応する前記トンネル・プロトコル及び前記第1のHA-Uの前記アドレスにしたがって、前記第2のデータ・パケットにトンネル・カプセル化を実行するように構成される。
【００５５】
第6の態様の第5の可能な実装形態との関連で、第6の態様の第6の可能な実装形態では、前記第1のBAメッセージは、トンネル・パラメータをさらに含み、前記トンネル・パラメータは、トンネル通信が、前記トンネル・タイプによって示される前記トンネル・プロトコルを使用することにより実行されるときに使用される関連するパラメータであり、
それに応じて、前記トンネル通信モジュールは、特に、前記トンネル・タイプに対応する前記トンネル・プロトコル、前記第1のHA-Uの前記アドレス、及び前記トンネル・パラメータにしたがって、前記第2のデータ・パケットにトンネル・カプセル化を実行するように構成される。
【００５６】
第6の態様又は第6の態様の第1から第6の可能な実装形態のいずれか1つとの関連で、第6の態様の第7の可能な実装形態では、前記送信モジュールは、さらに、前記HA-Cにモバイル・プレフィックス要請(MPS)メッセージを送信するように構成され、
前記受信モジュールは、さらに、前記HA-Cによって送信されたモバイル・プレフィックス広告(MPA)メッセージを受信するように構成される。
【００５７】
第6の態様又は第6の態様の第1から第7の可能な実装形態のいずれか1つとの関連で、第6の態様の第8の可能な実装形態では、前記送信モジュールは、さらに、前記HA-Cにホーム・テスト初期化(HTI)メッセージを送信するように構成される。
【００５８】
第7の態様によれば、本発明は、モビリティ管理システムであって、当該システムは、通信システムであり、前記通信システムは、第4の態様又は第4の態様の第1から第9の可能な実装形態のいずれか1つにしたがったホーム・エージェント制御プレーン(HA-C)、第5の態様又は第5の態様の第1から第6の可能な実装形態のいずれか1つにしたがった第1のホーム・エージェント・ユーザ・プレーン(HA-U)、第6の態様又は第6の態様の第1から第8の可能な実装形態のいずれか1つにしたがったモバイル・ノード(MN)及び対応するノード(CN)を含む、モビリティ管理システムを提供する。
【００５９】
本発明は、モビリティ管理方法、装置、及びシステムを提供する。HA-Cは、MNに第1のBAメッセージを送信し、第1のBAメッセージは、第1のHA-Uのアドレスを含み、それによって、MNは、第1のBAメッセージにしたがって、第1のHA-Uとのトンネル通信を実行し、HA-Cは、第1のHA-Uに構成メッセージを送信し、構成メッセージは、MNのHoA及びCoAを含み、それによって、第1のHA-Uは、構成メッセージにしたがって、MNとのトンネル通信を実行する。この方法では、元のプロキシ・サーバ又は元のゲートウェイ(すなわち、従来技術におけるプロキシ・サーバ又はゲートウェイ、すなわち、第1のHA-Uを配置するプロキシ・サーバ又はゲートウェイ)は、MNとのトンネル通信のみを達成し、新しく追加されるプロキシ・サーバ(すなわち、第2のプロキシ・サーバ、すなわち、HA-Cを配置するプロキシ・サーバ)は、BUによって制御シグナリング相互作用を実現し、それにより、元のプロキシ・サーバ又は元のゲートウェイの負荷を低減し、プロキシ・サーバ又はゲートウェイの負荷が比較的重くなるという従来技術の問題を解決する。
【図面の簡単な説明】
【００６０】
本発明の実施形態又は従来技術における技術的解決方法をより明確に説明するために、以下の記載は、実施形態又は従来技術を説明するために必要となる添付の図面を簡潔に説明する。明らかに、以下の説明における添付の図面は、本発明の複数の実施形態のうちの一部を示し、当業者は、なお、創造的努力なしにこれらの添付の図面から他の図面を導出することができる。
【００６１】
【図１】従来技術におけるモビリティ管理システムの概略的な構成図である。
【図２】本発明によるモビリティ管理システムの概略的な構成図である。
【図３】本発明にしたがったモビリティ管理方法の実施形態1のフローチャートである。
【図４】本発明にしたがったモビリティ管理方法の実施形態2のフローチャートである。
【図５】本発明にしたがったモビリティ管理方法の実施形態3のフローチャートである。
【図６】本発明にしたがったモビリティ管理方法の実施形態4のフローチャートである。
【図７】本発明にしたがったモビリティ管理装置の実施形態1の概略的な構成図である。
【図８】本発明にしたがったモビリティ管理装置の実施形態2の概略的な構成図である。
【図９】本発明にしたがったモビリティ管理装置の実施形態3の概略的な構成図である。
【図１０】本発明にしたがったモビリティ管理装置の実施形態5の概略的な構成図である。
【図１１】本発明にしたがったモビリティ管理装置の実施形態7の概略的な構成図である。
【図１２】本発明にしたがったモビリティ管理装置の実施形態8の概略的な構成図である。
【図１３】本発明にしたがったモビリティ管理装置の実施形態9の概略的な構成図である。
【図１４】本発明にしたがったモビリティ管理装置の実施形態11の概略的な構成図である。
【発明を実施するための形態】
【００６２】
本発明の複数の実施形態の目的、技術的解決方法、及び利点をより明確にするために、以下の説明は、本発明の複数の実施形態にしたがった添付の図面を参照して、本発明の複数の実施形態にしたがった技術的解決方法を明確かつ完全に説明する。明らかに、説明される複数の実施形態は、本発明の複数の実施形態のすべてではなく、一部である。創造的努力なくして本発明のそれらの複数の実施形態に基づいて当業者が取得することができるすべての他の実施形態は、本発明の保護範囲に属するものとする。
【００６３】
図1は、従来技術におけるモビリティ管理システムの概略的な構成図である。図1で示されるように、通信システムにおいては、MNが最初に第1のネットワークにアクセスする場合には、HAは、MNにHoAを割り当て、その後、MNは、HoAを使用することによってCNと通信する。MNが、図1の破線矢印により示される方向に沿って位置L1から位置L2に移動する場合に、そのMNは、第2のネットワークによってそのMNに割り当てられるCoAを取得し、BUメッセージを使用することによってHAにHoA及びCoAを送信する。HAは、MNのためのBCEを生成し、MNにBAメッセージを返す。MNが第2のネットワークに移動することに起因して、MNとCNとの間の通信が中断されるという問題を回避するために、HAは、CNによってMNに送信されるデータ・パケットを捕捉し、トンネル通信によりMNにそのデータ・パケットを転送する。同様に、MNがCNにデータ・パケットを送信する必要がある場合に、MNは、トンネル通信によりHAにそのデータ・パケットを送信し、次いでHAは、CNにデータ・パケットを転送する。
【００６４】
一般的に、HAは、プロキシ・サーバ又はゲートウェイに配置される。従来技術において、HAは、(BAメッセージ及びBUメッセージ等の)制御シグナリング相互作用のみならず、トンネル・ベースのデータ・パケット転送を実現する。それゆえに、プロキシ・サーバ又はゲートウェイの負荷は、比較的重くなる。
【００６５】
図2は、本発明にしたがったモビリティ管理システムの概略的な構成図である。図2で示されるように、通信システムは、ホーム・エージェント制御プレーン(HA-C，Home  Agent  Control  plane)、第1のホーム・エージェント・ユーザ・プレーン(HA-U，Home  Agent  User  plane)、MN、及びCNを含む。第1のHA-Uは、第1のネットワークの中に位置し、CNは、第1のネットワークを使用することによってMNと通信し、第1のHA-Uは、第1のプロキシ・サーバ又はゲートウェイに配置され、HA-Cは、第2のプロキシ・サーバに配置される。
【００６６】
選択的に、通信システムは、第2のHA-Uと、CN’とをさらに含んでもよく、第2のHA-Uは、第2のネットワークの中に位置する。第2のネットワークの中に位置するMNが、CN’との間でサービスを確立すると、データは、第2のHA-Uを使用することによって転送される。
【００６７】
第3のネットワークの中に位置する図2のCNは、1つの例に過ぎず、CNが、第1のネットワークを使用することによってMNと通信する限りにおいて、CNは、いずれかのネットワークの中に位置してもよいということに留意すべきである。第3のネットワークの中に位置する図2のCN’も、1つの例に過ぎず、CN’は、いずれかのネットワークの中に位置してもよい。
【００６８】
本発明にしたがった通信システムは、移動体通信用のグローバル・システム(GSM，Global  System  for  Mobile  Communication)、ユニバーサル移動体通信システム(UMTS，Universal  Mobile  Telecommunications  System)、ロング・ターム・エボリューション(LTE，Long  Term  Evolution)システム、又はこれらと同様のシステムであってもよいということに留意すべきである。通信システムがGSM又はUMTSである場合には、ゲートウェイは、ゲートウェイGPRSサポート・ノード(GGSN，Gateway  GPRS  Support  Node)であってもよい。通信システムがLTEシステムである場合には、ゲートウェイは、PGWであってもよい。
【００６９】
本発明にしたがった第1のネットワークは、第1のHA-Uが位置するネットワークであり、第2のネットワークは、第2のHA-Uが位置するネットワークであるということに留意すべきである。各々のネットワークは、1つ又は複数のHA-Uを含んでもよいが、各々のHA-Uは、1つのみのネットワークの中に位置していてもよい。ネットワークの中のHA-Uの数が1よりも大きい場合には、ネットワークの中に位置する複数のHA-Uの間で負荷平衡化を実行してもよい。
【００７０】
図3は、本発明にしたがったモビリティ管理方法の実施形態1に関するフローチャートである。図2及び図3で示されるように、この実施形態にしたがった方法は、以下のステップを含んでもよい。
【００７１】
ステップ301:MNが第1のネットワークにアクセスする場合に、HA-Cは、MNによって送信された第1のBUメッセージを受信する。
【００７２】
ステップ302:HA-Cは、第1のBUメッセージにしたがって、MNに第1のBAメッセージを送信し、第1のBAメッセージは、第1のHA-Uのアドレスを含み、それによって、MNが第1のネットワークから第2のネットワークに移動した後に、MNは、第1のHA-Uのアドレスにしたがって、第1のHA-Uとのトンネル通信を実行する。
【００７３】
ステップ303:MNが第1のネットワークから第2のネットワークに移動した後に、HA-Cは、MNによって送信された第2のBUメッセージを受信し、第2のBUメッセージは、MNのHoA及びCoAを含む。
【００７４】
特に、図2で示されるように、MNが、図2において破線矢印により示される方向に沿って位置L1から位置L2に移動する場合に、MNは、HA-Cに第2のBUメッセージを送信し、HA-Cは、第2のBUメッセージを受信する。
【００７５】
ステップ304:HA-Cは、第1のHA-Uに構成メッセージを送信し、構成メッセージは、MNのHoA及びCoAを含み、それによって、第1のHA-Uは、構成メッセージにしたがって、MNとのトンネル通信を実行する。
【００７６】
従来技術においては、MNが第2のネットワークに移動した後に、第1のネットワークの中に位置するHAは、MNにより送信されるBUメッセージ(BUメッセージは、MNのHoA及びCoAを含む)を受信し、HAは、MNにBAメッセージを送信する。MNが第2のネットワークに移動することに起因して、MNとCNとの間の通信が中断されるという問題を回避するために、HAは、MNとのトンネル通信を実行する。この方法では、CNによってMNに送信されるデータ・パケットは、HAにより捕捉され、トンネル通信によりMNに送信され、MNは、CNに送信されるべきデータ・パケットをトンネル通信によりHAに送信し、HAは、CNにそのデータ・パケットを転送する。本発明においては、HA-Cは、MNに第1のBAメッセージを送信し、第1のBAメッセージは、第1のHA-Uのアドレスを含み、それによって、MNは、第1のHA-Uのアドレスにしたがって、第1のHA-Uとのトンネル通信を実行する。HA-Cは、第1のHA-Uに構成メッセージを送信し、構成メッセージは、MNのHoA及びCoAを含み、それによって、第1のHA-Uは、構成メッセージにしたがってMNとのトンネル通信を実行する。
【００７７】
従来技術においては、HAは、(例えば、HAは、MNによって送信されたBUメッセージを受信し、MNにBAメッセージを送信するといった)制御シグナリング相互作用のみならず、(例えば、HAは、CNによってMNに送信されるデータ・パケットを捕捉し、トンネル通信によりMNにそのデータ・パケットを転送し、そして、HAは、トンネル通信によりMNからデータ・パケットを受信し、CNにそのデータ・パケットを転送するといった)トンネル通信の間のデータ・パケット転送を実現し、HAは、一般的に、プロキシ・サーバ又はゲートウェイに配置される。それゆえに、プロキシ・サーバ又はゲートウェイの負荷は、比較的重くなる。本発明においては、HA-Cは、MNに第1のBAメッセージを送信し、第1のBAメッセージは、第1のHA-Uのアドレスを含み、それによって、MNは、第1のBAメッセージにしたがって、第1のHA-Uとのトンネル通信を実行し、HA-Cは、第1のHA-Uに構成メッセージを送信し、構成メッセージは、MNのHoA及びCoAを含み、それによって、第1のHA-Uは、構成メッセージにしたがって、MNとのトンネル通信を実行する。この方法では、元のプロキシ・サーバ又は元のゲートウェイ(すなわち、従来技術におけるプロキシ・サーバ又はゲートウェイ、すなわち、第1のHA-Uを配置するプロキシ・サーバ又はゲートウェイ)は、MNとのトンネル通信のみを実現し、新しく追加されるプロキシ・サーバ(すなわち、第2のプロキシ・サーバ、すなわち、HA-Cを配置するプロキシ・サーバ)は、BUによって制御シグナリング相互作用を実現し、それにより、元のプロキシ・サーバ又は元のゲートウェイの負荷を低減し、プロキシ・サーバ又はゲートウェイの負荷が比較的重くなるという従来技術の問題を解決する。
【００７８】
本発明のこの実施形態においては、HA-Cは、MNに第1のBAメッセージを送信し、第1のBAメッセージは、第1のHA-Uのアドレスを含み、それによって、MNは、第1のBAメッセージにしたがって、第1のHA-Uとのトンネル通信を実行し、HA-Cは、第1のHA-Uに構成メッセージを送信し、構成メッセージは、MNのHoA及びCoAを含み、それによって、第1のHA-Uは、構成メッセージにしたがって、MNとのトンネル通信を実行する。この方法では、元のプロキシ・サーバ又は元のゲートウェイ(すなわち、従来技術におけるプロキシ・サーバ又はゲートウェイ、すなわち、第1のHA-Uを配置するプロキシ・サーバ又はゲートウェイ)は、MNとのトンネル通信のみを実現し、新しく追加されるプロキシ・サーバ(すなわち、第2のプロキシ・サーバ、すなわち、HA-Cを配置するプロキシ・サーバ)は、BUによって制御シグナリング相互作用を実現し、それにより、元のプロキシ・サーバ又は元のゲートウェイの負荷を低減し、プロキシ・サーバ又はゲートウェイの負荷が比較的重くなるという従来技術の問題を解決する。
【００７９】
図4は、本発明にしたがったモビリティ管理方法の実施形態2に関するフローチャートである。図2及び図4で示されるように、この実施形態にしたがった方法は、以下のステップを含んでもよい。
【００８０】
ステップ401:第1のHA-Uは、HA-Cによって送信された構成メッセージを受信し、構成メッセージは、MNのHoA及びCoAを含む。
【００８１】
ステップ402:第1のHA-Uは、構成メッセージにしたがって、MNとのトンネル通信を実行する。
【００８２】
この実施形態においては、第1のHA-Uは、HA-Cによって送信された構成メッセージを受信し、構成メッセージは、MNのHoA及びCoAを含み、第1のHA-Uは、構成メッセージにしたがって、MNとのトンネル通信を実行する。この方法では、MNが第1のネットワークから第2のネットワークに移動する場合に、第1のHA-Uは、HA-Cにより送信されたMNのHoA及びCoAにしたがって、MNとのトンネル通信を実行して、MNにデータ・パケット1を転送し(データ・パケット1は、CNによってMNに送信されるデータ・パケットである)、MNにより送信されたデータ・パケット2をCNに転送し(データ・パケット2は、MNによってCNに送信されるデータ・パケットである)、それにより、MNが第2のネットワークに移動することに起因して、MNとCNとの間の通信が中断されるという問題を回避する。
【００８３】
図5は、本発明にしたがったモビリティ管理方法の実施形態3に関するフローチャートである。図2及び図5で示されるように、この実施形態にしたがった方法は、以下のステップを含んでもよい。
【００８４】
ステップ501:MNが第1のネットワークにアクセスする場合に、MNは、HA-Cに第1のBUメッセージを送信する。
【００８５】
ステップ502:MNは、HA-Cにより送信された第1のBAメッセージを受信し、第1のBAメッセージは、第1のHA-Uのアドレスを含む。
【００８６】
ステップ503:MNが、第1のネットワークから、第1のネットワークとは異なる第2のネットワークに移動した後に、MNは、HA-Cに第2のBUメッセージを送信し、第2のBUメッセージは、MNのHoA及びCoAを含み、それによって、HA-Cは、構成メッセージを使用することによって、第1のHA-UにMNのHoA及びCoAを送信する。
【００８７】
ステップ504:MNは、第1のHA-Uのアドレスにしたがって、第1のHA-Uとのトンネル通信を実行する。
【００８８】
この実施形態においては、MNは、HA-Cにより送信された第1のBAメッセージを受信し、第1のBAメッセージは、第1のHA-Uのアドレスを含み、MNは、第1のHA-Uのアドレスにしたがって、第1のHA-Uとのトンネル通信を実行する。この方法では、MNが第1のネットワークから第2のネットワークに移動した後に、MNは、第1のHA-Uのアドレスにしたがって、第1のHA-Uとのトンネル通信を実行して、トンネル通信により第1のHA-Uにデータ・パケット2を送信し(データ・パケット2は、MNによってCNに送信されるデータ・パケットである)、トンネル通信により第1のHA-Uによって送信されたデータ・パケット1を受信し(データ・パケット1は、CNによってMNに送信されるデータ・パケットである)、それによって、第1のHA-Uは、CNにデータ・パケット2を転送し、その結果、MNが第2のネットワークに移動することに起因して、MNとCNとの間の通信が中断されるという問題を回避する。
【００８９】
図6は、本発明にしたがったモビリティ管理方法の実施形態4のフローチャートである。図2及び図6で示されるように、この実施形態にしたがった方法は、以下のステップを含んでもよい。
【００９０】
ステップ601:MNが第1のネットワークにアクセスする場合に、MNは、HA-Cに第1のBUメッセージを送信する。
【００９１】
ステップ602:第1のネットワークが少なくとも2つのHA-Uを含み、少なくとも2つのHA-Uが、異なるプロキシ・サーバ又は異なるゲートウェイに個別に配置される場合に、HA-Cは、負荷平衡規則にしたがって、第1のネットワークに含まれる少なくとも2つのHA-Uから第1のHA-Uを決定する。
【００９２】
選択的に、HA-Cが、負荷平衡規則にしたがって、第1のネットワークに含まれる少なくとも2つのHA-Uから第1のHA-Uを決定することは、
HA-Cが、第1のネットワークに含まれる少なくとも2つのHA-Uのうち、最小の負荷を有するHA-Uを第1のHA-Uとして決定することを含む。
【００９３】
ステップ602は随意的なステップであるということに留意すべきである。第1のネットワークの中にHA-Uが1つのみ位置する場合には、ステップ602を実行する必要はなく、1つのみのHA-Uが直ちに、第1のHA-Uとして決定され、第1のBAメッセージは、第1のHA-Uのアドレスを含み、又は、第1のネットワークの中に複数個のHA-Uが位置する場合には、ステップ602を実行する必要がある。HA-Cは、負荷平衡規則にしたがって、第1のネットワークに含まれる少なくとも2つのHA-Uから第1のHA-Uを決定し、それによって、負荷は、第1のネットワーク内の複数個のHA-Uの間で共有されて、単一のHA-Uの負荷を低減してもよい。
【００９４】
ステップ603:HA-Cは、MNに第1のBAメッセージを送信し、第1のBAメッセージは、第1のHA-Uのアドレスを含む。
【００９５】
モバイルIPが、IPv6に基づくモバイルIPv6である場合には、第1のHA-Uのアドレスは、第1のHA-UのIPv6アドレスであってもよく、又は、モバイルIPが、IPv6に基づくデュアル・スタック・モバイルIPv6である場合には、第1のHA-Uのアドレスは、第1のHA-UのIPv4アドレス及びIPv6アドレスであってもよいということに留意すべきである。
【００９６】
ステップ604:MNが、第1のネットワークから、第1のネットワークとは異なる第2のネットワークに移動した後に、MNは、HA-Cに第2のBUメッセージを送信し、第2のBUメッセージは、MNのHoA及びCoAを含む。
【００９７】
選択的に、ステップ601での第1のBUメッセージは、MNのHoAを含んでもよい。それに応じて、ステップ602の後に、当該方法は、MNのためのBCEをHA-Cによって生成し、BCEは、第1のHA-Uのアドレス及びHoAを含む。ステップ604の後に、当該方法は、第2のBUメッセージに含まれるMNのCoAにしたがって、HA-CによりBCEを更新して、更新されたBCEを取得し、更新されたBCEは、第1のHA-Uのアドレス、HoA、及びCoAを含む。
【００９８】
ステップ605:HA-Cは、第2のネットワークにおけるMNのための第2のHA-Uを決定する。
【００９９】
選択的に、第2のネットワークが少なくとも2つのHA-Uを含み、少なくとも2つのHA-Uが、異なるプロキシ・サーバ又は異なるゲートウェイに個別に配置される場合に、HA-Cが、第2のネットワークにおけるMNのための第2のHA-Uを決定することは、HA-Cが、負荷平衡規則にしたがって、第2のネットワークに含まれる少なくとも2つのHA-UからMNのための第2のHA-Uを決定することを含む。
【０１００】
ステップ606:HA-Cは、MNに第2のBAメッセージを送信し、第2のBAメッセージは、第2のHA-Uのアドレスを含む。
【０１０１】
ステップ607:HA-Cは、第1のHA-Uに構成メッセージを送信し、構成メッセージは、MNのHoA及びCoAを含む。
【０１０２】
ステップ607、ステップ605、及びステップ606の間に順序はないということに留意すべきである。
【０１０３】
ステップ608:MNは、第1のHA-Uとのトンネル通信を実行して、MNとCNとの間でデータ送信を実現する。
【０１０４】
選択的に、MNは、IP-in-IPプロトコルに基づいて第1のHA-Uとのトンネル通信を実行する。
【０１０５】
選択的に、ステップ608は、
第1のHA-Uのアドレスにしたがって、MNによって、第2のデータ・パケットにトンネル・カプセル化を実行して、第1のデータ・パケットを取得し、そして、第1のHA-Uに第1のデータ・パケットを送信する処理であって、第2のデータ・パケットは、MNによってCNに送信されるデータ・パケットである、処理と、
MNによって送信された第1のデータ・パケットを第1のHA-Uによって受信する処理と、
第1のHA-Uにより、第1のデータ・パケットにトンネル・デカプセル化を実行して、第2のデータ・パケットを取得し、そして、CNに第2のデータ・パケットを転送する処理と、を含んでもよい。
【０１０６】
第2のデータ・パケットは、MNによってCNに送信されるデータ・パケットであるので、第2のデータ・パケットの送信元アドレスは、MNのHoAであり、第2のデータ・パケットの宛先アドレスは、CNのアドレスであるということに留意すべきである。MNが、第1のHA-Uのアドレスにしたがって、第2のデータ・パケットにトンネル・カプセル化を実行する場合に、第2のデータ・パケットは、第1のデータ・パケットの中にカプセル化され、第1のデータ・パケットの送信元アドレスは、MNのHoAであり、第1のデータ・パケットの宛先アドレスは、第1のHA-Uのアドレスである。第1のデータ・パケットの宛先アドレスは、第1のHA-Uのアドレスであるので、第1のネットワーク及び第2のネットワークにおける通信リンクを使用することによって、第1のHA-Uに第1のデータ・パケットをルーティングしてもよい。第1のHA-Uは、デカプセル化を実行して、第1のデータ・パケットの中にカプセル化された第2のデータ・パケットを取得する。第2のデータ・パケットの宛先アドレスは、CNのアドレスであるので、第1のネットワークにおける通信リンクを使用することによってCNに第2のデータ・パケットをルーティングしてもよい。第2のデータ・パケットを受信した後に、CNは、第2のデータ・パケットの送信元アドレスにしたがって、第2のデータ・パケットがMNからのデータ・パケットであるということを決定してもよい。
【０１０７】
選択的に、ステップ608は、
第3のデータ・パケットに含まれるMNのHoAにしたがって、第3のデータ・パケットがCNによってMNに送信されるデータ・パケットであるということを第1のHA-Uによって決定する処理をさらに含んでもよい。
【０１０８】
第3のデータ・パケットは、CNによってMNに送信されるデータ・パケットであるので、第3のデータ・パケットの宛先アドレスは、MNのHoAであるということに留意すべきである。HA-Uは、第3のデータ・パケットに含まれるMNのHoAにしたがって、第3のデータ・パケットが、CNによってMNに送信されるデータ・パケットであるということを決定してもよい。
【０１０９】
第1のHA-Uは、MNのCoAにしたがって、第3のデータ・パケットにトンネル・カプセル化を実行して、第4のデータ・パケットを取得し、MNに第4のデータ・パケットを転送する。
【０１１０】
MNは、第1のHA-Uによって送信された第4のデータ・パケットを受信し、第4のデータ・パケットにトンネル・デカプセル化を実行して、第3のデータ・パケットを取得する。
【０１１１】
この実施形態においては、HA-Cは、第1のHA-UのアドレスをMNに送信し、それによって、MNは、第1のHA-Uのアドレスにしたがって、第1のHA-Uとのトンネル通信を実行し、HA-Cは、第1のHA-UにMNのHoA及びCoAを送信し、それによって、第1のHA-Uは、HoA及びCoAにしたがってMNとのトンネル通信を実行する。この方法では、元のプロキシ・サーバ又は元のゲートウェイ(すなわち、従来技術におけるプロキシ・サーバ又はゲートウェイ、すなわち、第1のHA-Uを配置するプロキシ・サーバ又はゲートウェイ)は、MNとのトンネル通信のみを実現し、新しく追加されるプロキシ・サーバ(すなわち、第2のプロキシ・サーバ、すなわち、HA-Cを配置するプロキシ・サーバ)は、BUによって制御シグナリング相互作用を実現し、それにより、元のプロキシ・サーバ又は元のゲートウェイの負荷を低減し、プロキシ・サーバ又はゲートウェイの負荷が比較的重くなるという従来技術の問題を解決する。
【０１１２】
加えて、現在のクラウド・コンピューティング技術の発展は、ネットワーク機能仮想化の発展を推進し、仮想化は、様々な物理ネットワーク要素に関して、現在のネットワークで実行され、すなわち、現在の物理ネットワーク要素デバイスは、仮想化ソフト形式で、データ・センタのホストで作動させられる。データ・センタは、普通は、より上位の位置で確立される。例えば、オペレータは、データ・センタをサイトで確立してもよく、データ・センタは、いくつかの都市部を担当する。
【０１１３】
従来技術においては、HAは、制御シグナリング相互作用のみならず、トンネル通信に基づくデータ・パケット転送を実現するので、HAについて仮想化が実行され、HAがデータ・センタで作動させられる場合には、データ・パケット(すなわち、トンネル通信により転送される必要があるデータ・パケット)は、データ・センタを通って流れることにより処理される必要がある。このことは、疑いの余地なく、データ・センタの帯域幅に重い負荷を生じさせる。本発明においては、元のプロキシ・サーバ又は元のゲートウェイ(すなわち、従来技術におけるプロキシ・サーバ又はゲートウェイ、すなわち、第1のHA-Uを配置するプロキシ・サーバ又はゲートウェイ)は、MNとのトンネル通信のみを実現し、新しく追加されるプロキシ・サーバ(すなわち、第2のプロキシ・サーバ、すなわち、HA-Cを配置するプロキシ・サーバ又はゲートウェイ)は、MNとの制御シグナリング相互作用を実現する場合には、仮想化は、HA-Cについてのみ実行されてもよく、HA-Cは、データ・センタで作動させられ、仮想化は、第1のHA-Uについては実行されない。仮想化が実装される場合には、データ・パケットが、データ・センタを通って流れることにより処理される必要があるという問題は回避され、それにより、データ・センタの中を流れるデータ・パケットの数量を低減し、データ・センタの帯域幅にへの負荷を軽減する。
【０１１４】
選択的に、この実施形態における第1のBAメッセージ及び構成メッセージは、トンネル・タイプをさらに含んでもよく、トンネル・タイプは、トンネル通信が実行されるときに使用されるトンネル・プロトコルを示すのに使用される。それに応じて、MN及び第1のHA-Uは、トンネル・タイプに対応するトンネル・プロトコルにしたがって、データ・パケットにトンネル・カプセル化又はトンネル・デカプセル化を実行してもよい。
【０１１５】
トンネル・プロトコルは、IP-in-IPプロトコル、汎用ルーティング・カプセル化(GRE，Generic  Routing  Encapsulation)、又はこれらと同様のプロトコルであってもよい。IP-in-IPプロトコルに対応するプロトコル文書は、RFC2003であり、GREに対応するプロトコル文書は、RFC2784である。
【０１１６】
さらに、選択的に、第1のBAメッセージ及び構成メッセージは、トンネル・パラメータをさらに含んでもよく、トンネル・パラメータは、トンネル通信が、トンネル・タイプによって示されるトンネル・プロトコルを使用することにより実行されるときに使用される関連するパラメータである。それに応じて、MN及び第1のHA-Uは、トンネル・タイプに対応するトンネル・プロトコル及びトンネル・パラメータにしたがって、データ・パケットにトンネル・カプセル化又はトンネル・デカプセル化を実行してもよい。
【０１１７】
選択的に、この実施形態における第1のBAメッセージは、システム・タイプ識別子をさらに含んでもよく、システム・タイプ識別子は、通信システムが、第1のHA-Uと、HA-Cとを含む通信システムであるということを示すのに使用される。
【０１１８】
選択的に、この実施形態におけるステップ604の後に、方法は、MNによってHA-Cに、モバイル・プレフィックス要請(MPS，Mobile  Prefix  Solicitation)メッセージを送信し、HA-CによってMNに、モバイル・プレフィックス広告(MPA，Mobile  Prefix  Advertisement)メッセージを返す処理、又は、MNによって第1のHA-UにMPSメッセージを送信し、第1のHA-UによってMNに、MPAメッセージを返す処理をさらに含んでもよい。MNは、HA-C(又は、第1のHA-U)にMPSメッセージを送信し、HA-C(又は、第1のHA-U)は、MNにMPAを返し、それによって、MNは、ネットワークのモバイル・プレフィックスをいずれかの時間に取得することができる。
【０１１９】
選択的に、この実施形態におけるステップ604の後に、当該方法は、MNによってHA-Cに、ホーム・テスト初期化(HTI，Home  Test  Init)メッセージを送信し、HA-CによってCNにHTIメッセージを転送する処理、又は、MNによって第1のHA-UにHTIメッセージを送信し、第1のHA-Uにより、CNにHTIメッセージを転送する処理をさらに含んでもよい。MNは、HA-C(又は、第1のHA-U)にHTIメッセージを送信し、HA-C(又は、第1のHA-U)は、CNにHTIを転送し、それによって、MNは、HA-C(又は、第1のHA-U)と相互作用することによってルート最適化の関係のあるステップを実現することができる。
【０１２０】
図7は、本発明にしたがったモビリティ管理装置の実施形態1の概略的な構成図である。装置は、HA-Cであり、装置は、通信システムに適用される。通信システムは、HA-C、第1のHA-U、及びMNを含み、第1のHA-Uは、第1のネットワークの中に位置し、第1のHA-Uは、第1のプロキシ・サーバ又はゲートウェイに配置され、HA-Cは、第2のプロキシ・サーバに配置される。図7で示されるように、この実施形態における装置は、受信モジュール701及び送信モジュール702を含んでもよい。受信モジュール701は、MNが第1のネットワークにアクセスする場合に、MNによって送信される第1のBUメッセージを受信するように構成される。送信モジュール702は、第1のBUメッセージにしたがってMNに第1のBAメッセージを送信するように構成され、第1のBAメッセージは、第1のHA-Uのアドレスを含み、それによって、MNが第1のネットワークから第2のネットワークに移動した後に、MNは、第1のHA-Uのアドレスにしたがって、第1のHA-Uとのトンネル通信を実行する。受信モジュール701は、さらに、MNが第1のネットワークから第2のネットワークに移動した後に、MNによって送信された第2のBUメッセージを受信するように構成され、第2のBUメッセージは、MNのホーム・アドレス(HoA)及び気付アドレス(CoA)を含む。送信モジュール702は、さらに、第1のHA-Uに構成メッセージを送信するように構成され、構成メッセージは、MNのHoA及びCoAを含み、それによって、第1のHA-Uは、構成メッセージにしたがって、MNとのトンネル通信を実行する。
【０１２１】
この実施形態における装置は、図3で示される方法の実施形態における技術的解決方法を実行するように構成されてもよい。装置の実装原理及び技術的効果は、方法の実施形態での実装原理及び技術的効果と同様であり、詳細は、本明細書では再度説明されない。
【０１２２】
図8は、本発明にしたがったモビリティ管理装置の実施形態2の概略的な構成図である。図8で示されるように、この実施形態における装置は、図7で示される装置の構造に基づく。さらに、第1のネットワークが少なくとも2つのHA-Uを含み、少なくとも2つのHA-Uが、異なるプロキシ・サーバ又は異なるゲートウェイに個別に配置される場合に、装置は、処理モジュール703をさらに含んでもよく、処理モジュール703は、負荷平衡規則にしたがって、第1のネットワークに含まれる少なくとも2つのHA-Uから第1のHA-Uを決定するように構成される。
【０１２３】
選択的に、処理モジュール703は、特に、第1のネットワークに含まれる少なくとも2つのHA-Uのうち、最小の負荷を有するHA-Uを第1のHA-Uとして決定するように構成される。
【０１２４】
選択的に、第1のBUメッセージは、MNのHoAを含む。それに応じて、処理モジュール703は、さらに、MNについてバインディング・キャッシュ・エントリ(BCE)を生成するように構成され、BCEは、第1のHA-Uのアドレス及びHoAを含み、第2のBUメッセージに含まれるMNのCoAにしたがって、BCEを更新して、更新されたBCEを取得するように構成され、更新されたBCEは、第1のHA-Uのアドレス、HoA、及びCoAを含む。
【０１２５】
選択的に、通信システムは、第2のHA-Uをさらに含んでもよく、第2のHA-Uは、第2のネットワークの中に位置する。
【０１２６】
それに応じて、処理モジュール703は、さらに、第2のネットワークにおけるMNのための第2のHA-Uを決定するように構成される。送信モジュール702は、さらに、MNに第2のBAメッセージを送信するように構成され、第2のBAメッセージは、第2のHA-Uのアドレスを含み、それによって、MNが、第2のネットワークから、第2のネットワークとは異なる第3のネットワークに移動した後に、MNは、第2のHA-Uのアドレスにしたがって、第2のHA-Uとのトンネル通信を実行する。
【０１２７】
さらに、選択的に、第2のネットワークが少なくとも2つのHA-Uを含み、少なくとも2つのHA-Uが、異なるプロキシ・サーバ又は異なるゲートウェイに個別に配置される場合に、処理モジュール703は、特に、負荷平衡規則にしたがって、第2のネットワークに含まれる少なくとも2つのHA-UからMNのための第2のHA-Uを決定するように構成される。
【０１２８】
選択的に、構成メッセージは、トンネル・タイプをさらに含んでもよく、トンネル・タイプは、トンネル通信が実行されるときに使用されるトンネル・プロトコルを示すのに使用される。第1のBAメッセージは、トンネル・タイプをさらに含んでもよい。
【０１２９】
さらに、選択的に、構成メッセージは、トンネル・パラメータをさらに含んでもよく、トンネル・パラメータは、トンネル通信が、トンネル・タイプによって示されるトンネル・プロトコルを使用することにより実行されるときに使用される関連するパラメータである。第1のBAメッセージは、トンネル・パラメータをさらに含んでもよい。
【０１３０】
選択的に、受信モジュール701は、さらに、MNにより送信されるMPSメッセージを受信するように構成される。送信モジュール702は、さらに、MNにMPAメッセージを返すように構成される。
【０１３１】
選択的に、通信システムは、CNをさらに含んでもよく、CNは、第1のネットワークを使用することによってMNと通信する。受信モジュール701は、さらに、MNにより送信されるHTIメッセージを受信するように構成される。送信モジュール702は、さらに、CNにHTIメッセージを転送するように構成される。
【０１３２】
この実施形態における装置は、図6で示される方法の実施形態における、HA-C側に関する技術的解決方法を実行するように構成されてもよい。装置の実装原理及び技術的効果は、方法の実施形態における実装原理及び技術的効果と同様であり、詳細は、本明細書では再度説明されない。
【０１３３】
図9は、本発明にしたがったモビリティ管理装置の実施形態3の概略的な構成図である。装置は、第1のHA-Uであり、装置は、通信システムに適用される。通信システムは、ホーム・エージェント制御プレーン(HA-C)、第1のHA-U、及びモバイル・ノード(MN)を含み、第1のHA-Uは、第1のネットワークの中に位置し、第1のHA-Uは、第1のプロキシ・サーバ又はゲートウェイに配置され、HA-Cは、第2のプロキシ・サーバに配置される。図9で示されるように、この実施形態における装置は、受信モジュール901と、トンネル通信モジュール902とを含んでもよい。受信モジュール901は、HA-Cによって送信された構成メッセージを受信するように構成され、構成メッセージは、MNのホーム・アドレス(HoA)及び気付アドレス(CoA)を含む。トンネル通信モジュール902は、構成メッセージにしたがってMNとのトンネル通信を実行するように構成される。
【０１３４】
この実施形態における装置は、図4で示される方法の実施形態における技術的解決方法を実行するように構成されてもよい。装置の実装原理及び技術的効果は、方法の実施形態における実装原理及び技術的効果と同様であり、詳細は、本明細書では再度説明されない。
【０１３５】
モビリティ管理装置の実施形態4
選択的に、本発明にしたがったモビリティ管理装置の実施形態3に基づいて、通信システムは、対応するノード(CN)をさらに含んでもよく、CNは、第1のネットワークを使用することによってMNと通信する。
【０１３６】
それに応じて、トンネル通信モジュール902は、特に、MNによって送信された第1のデータ・パケットを受信するように構成され、第1のデータ・パケットは、MNが、第1のHA-Uのアドレスにしたがって、第2のデータ・パケットにトンネル・カプセル化を実行した後に取得されるデータ・パケットであり、第2のデータ・パケットは、MNによってCNに送信されるデータ・パケットであり、
第1のデータ・パケットにトンネル・デカプセル化を実行して、第2のデータ・パケットを取得し、そして、CNに第2のデータ・パケットを転送する、ように構成される。
【０１３７】
選択的に、トンネル通信モジュール902は、
第3のデータ・パケットに含まれるMNのHoAにしたがって、第3のデータ・パケットが、CNによってMNに送信されるデータ・パケットであるということを決定し、
MNのCoAにしたがって、第3のデータ・パケットにトンネル・カプセル化を実行して、第4のデータ・パケットを取得し、そして、MNに第4のデータ・パケットを転送するように構成され、それによって、MNは、第4のデータ・パケットにトンネル・デカプセル化を実行して、第3のデータ・パケットを取得する。
【０１３８】
選択的に、構成メッセージは、トンネル・タイプをさらに含んでもよく、トンネル・タイプは、トンネル通信が実行されるときに使用されるトンネル・プロトコルを示すのに使用される。
【０１３９】
それに応じて、トンネル通信モジュール902は、特に、トンネル・タイプに対応するトンネル・プロトコルにしたがって、第1のデータ・パケットにトンネル・デカプセル化を実行するように構成される。
【０１４０】
さらに、選択的に、構成メッセージは、トンネル・パラメータをさらに含んでもよく、トンネル・パラメータは、トンネル通信が、トンネル・タイプによって示されるトンネル・プロトコルを使用することにより実行されるときに使用される関連するパラメータである。
【０１４１】
それに応じて、トンネル通信モジュール902は、特に、トンネル・タイプに対応するトンネル・プロトコル及びトンネル・パラメータにしたがって、第1のデータ・パケットにトンネル・デカプセル化を実行するように構成される。
【０１４２】
選択的に、受信モジュール901は、さらに、MNにより送信されるMPSメッセージを受信するように構成される。当該装置は、第1の送信モジュールをさらに含み、第1の送信モジュールは、MNにMPAメッセージを返すように構成される。
【０１４３】
選択的に、受信モジュール901は、さらに、MNにより送信されるHTIメッセージを受信するように構成される。装置は、第2の送信モジュールをさらに含み、第2の送信モジュールは、CNにHTIメッセージを転送するように構成される。
【０１４４】
この実施形態における装置は、図6で示される方法の実施形態における第1のHA-U側に関する技術的解決方法を実行するように構成されてもよい。装置の、実装原理及び技術的効果は、方法の実施形態におけるそれらと同様であり、詳細は、本明細書では再度説明されない。
【０１４５】
図10は、本発明にしたがったモビリティ管理装置の実施形態5の概略的な構成図である。当該装置は、MNであり、当該装置は、通信システムに適用される。通信システムは、ホーム・エージェント制御プレーン(HA-C)、第1のホーム・エージェント・ユーザ・プレーン(HA-U)、及びMNを含み、第1のHA-Uは、第1のネットワークの中に位置し、第1のHA-Uは、第1のプロキシ・サーバ又はゲートウェイに配置され、HA-Cは、第2のプロキシ・サーバに配置される。図10で示されるように、この実施形態における装置は、送信モジュール1001、受信モジュール1002、及びトンネル通信モジュール1003を含んでもよい。送信モジュール1001は、MNが第1のネットワークにアクセスする場合に、HA-Cに第1のBUメッセージを送信するように構成される。受信モジュール1002は、HA-Cにより送信された第1のBAメッセージを受信するように構成され、第1のBAメッセージは、第1のHA-Uのアドレスを含む。送信モジュール1001は、さらに、MNが、第1のネットワークから、第1のネットワークとは異なる第2のネットワークに移動した後に、HA-Cに第2のBUメッセージを送信するように構成され、第2のBUメッセージは、MNのホーム・アドレス(HoA)及び気付アドレス(CoA)を含み、それによって、HA-Cは、構成メッセージを使用することによって、第1のHA-UにMNのHoA及びCoAを送信する。トンネル通信モジュール1003は、第1のHA-Uのアドレスにしたがって、第1のHA-Uとのトンネル通信を実行するように構成される。
【０１４６】
この実施形態における装置は、図5で示される方法の実施形態における技術的解決方法を実行するように構成されてもよい。装置の実装原理及び技術的効果は、方法の実施形態での実装原理及び技術的効果と同様であり、詳細は、本明細書では再度説明されない。
【０１４７】
モビリティ管理装置の実施形態6
選択的に、本発明にしたがったモビリティ管理装置の実施形態5に基づいて、通信システムは、第2のHA-Uをさらに含み、第2のHA-Uは、第2のネットワークの中に位置する。
【０１４８】
それに応じて、受信モジュール1002は、さらに、HA-Cによって送信された第2のBAメッセージを受信するように構成され、第2のBAメッセージは、第2のHA-Uのアドレスを含む。
【０１４９】
選択的に、MNが、第2のネットワークから、第2のネットワークとは異なる第3のネットワークに移動する場合に、トンネル通信モジュール1003は、さらに、第2のBAメッセージにしたがって、第2のHA-Uとのトンネル通信を実行するように構成される。
【０１５０】
選択的に、通信システムは、CNをさらに含み、CNは、第1のネットワークを使用することによってMNと通信する。トンネル通信モジュール1003は、特に、第1のHA-Uのアドレスにしたがって、第2のデータ・パケットにトンネル・カプセル化を実行して、第1のデータ・パケットを取得し、そして、第1のHA-Uに第1のデータ・パケットを送信するように構成され、それによって、第1のHA-Uは、第1のデータ・パケットにトンネル・デカプセル化を実行して、第2のデータ・パケットを取得し、CNに第2のデータ・パケットを転送し、第2のデータ・パケットは、MNによってCNに送信されるデータ・パケットである。
【０１５１】
選択的に、トンネル通信モジュール1003は、さらに、
第1のHA-Uによって送信された第4のデータ・パケットを受信し、第4のデータ・パケットは、第1のHA-Uが、MNのCoAにしたがって、第3のデータ・パケットにトンネル・カプセル化を実行した後に取得されるデータ・パケットであり、第3のデータ・パケットは、CNによってMNに送信されるデータ・パケットであり、
第4のデータ・パケットにトンネル・デカプセル化を実行して、第3のデータ・パケットを取得する、ように構成される。
【０１５２】
選択的に、第1のBAメッセージは、トンネル・タイプをさらに含み、トンネル・タイプは、トンネル通信が実行されるときに使用されるトンネル・プロトコルを示すのに使用される。
【０１５３】
それに応じて、トンネル通信モジュール1003は、特に、トンネル・タイプに対応するトンネル・プロトコル及び第1のHA-Uのアドレスにしたがって、第2のデータ・パケットにトンネル・カプセル化を実行するように構成される。
【０１５４】
さらに選択的に、第1のBAメッセージは、トンネル・パラメータをさらに含み、トンネル・パラメータは、トンネル通信が、トンネル・タイプによって示されるトンネル・プロトコルを使用することにより実行されるときに使用される関連するパラメータである。
【０１５５】
それに応じて、トンネル通信モジュール1003は、特に、トンネル・タイプに対応するトンネル・プロトコル、第1のHA-Uのアドレス、及びトンネル・パラメータにしたがって、第2のデータ・パケットにトンネル・カプセル化を実行するように構成される。
【０１５６】
選択的に、送信モジュール1001は、さらに、MPSメッセージをHA-Cに送信するように構成される。
【０１５７】
受信モジュール1002は、さらに、HA-Cにより送信されるMPAメッセージを受信するように構成される。
【０１５８】
選択的に、送信モジュール1001は、さらに、HTIメッセージをHA-Cに送信するように構成される。
【０１５９】
この実施形態における装置は、図6で示される方法の実施形態におけるMN側に関する技術的解決方法を実行するように構成されてもよい。装置の実装原理及び技術的効果は、方法の実施形態における実装原理及び技術的効果と同様であり、詳細は、本明細書では再度説明されない。
【０１６０】
本発明は、モビリティ管理システムをさらに提供し、システムは、通信システムである。通信システムは、モビリティ管理装置の実施形態1又は実施形態2にしたがったHA-C、モビリティ管理装置の実施形態3又は実施形態4にしたがった第1のHA-U、及びモビリティ管理装置の実施形態5又は実施形態6にしたがったMN及びCNを含む。
【０１６１】
この実施形態におけるシステムは、図6で示される方法の実施形態における技術的解決方法を実行するように使用されてもよい。システムの、実装原理及び技術的効果は、方法の実施形態における実装原理及び技術的効果と同様であり、詳細は、本明細書では再度説明されない。
【０１６２】
図11は、本発明にしたがったモビリティ管理装置の実施形態7の概略的な構成図である。装置は、HA-Cであり、装置は、通信システムに適用される。通信システムは、HA-C、第1のHA-U、及びMNを含み、第1のHA-Uは、第1のネットワークの中に位置し、第1のHA-Uは、第1のプロキシ・サーバ又はゲートウェイに配置され、HA-Cは、第2のプロキシ・サーバに配置される。図11で示されるように、この実施形態における装置は、受信器1101及び送信器1102を含んでもよい。受信器1101は、MNが第1のネットワークにアクセスする場合に、MNにより送信される第1のBUメッセージを受信するように構成される。送信器1102は、第1のBUメッセージにしたがってMNに第1のBAメッセージを送信するように構成され、第1のBAメッセージは、第1のHA-Uのアドレスを含み、それによって、MNが第1のネットワークから第2のネットワークに移動した後に、MNは、第1のHA-Uのアドレスにしたがって、第1のHA-Uとのトンネル通信を実行する。受信器1101は、さらに、MNが第1のネットワークから第2のネットワークに移動した後に、MNによって送信された第2のBUメッセージを受信するように構成され、第2のBUメッセージは、MNのホーム・アドレス(HoA)及び気付アドレス(CoA)を含む。送信器1102は、さらに、第1のHA-Uに構成メッセージを送信するように構成され、構成メッセージは、MNのHoA及びCoAを含み、それによって、第1のHA-Uは、構成メッセージにしたがって、MNとのトンネル通信を実行する。
【０１６３】
この実施形態における装置は、図3で示される方法の実施形態における技術的解決方法を実行するように構成されてもよい。装置の実装原理及び技術的効果は、方法の実施形態における実装原理及び技術的効果と同様であり、詳細は、本明細書では再度説明されない。
【０１６４】
図12は、本発明にしたがったモビリティ管理装置の実施形態8の概略的な構成図である。図12で示されるように、この実施形態における装置は、図11で示される装置の構造に基づく。さらに、第1のネットワークが少なくとも2つのHA-Uを含み、少なくとも2つのHA-Uが、異なるプロキシ・サーバ又は異なるゲートウェイに個別に配置される場合に、当該装置は、プロセッサ1103をさらに含んでもよく、プロセッサ1103は、負荷平衡規則にしたがって、第1のネットワークに含まれる少なくとも2つのHA-Uから第1のHA-Uを決定するように構成される。
【０１６５】
選択的に、プロセッサ1103は、特に、第1のネットワークに含まれる少なくとも2つのHA-Uのうち、最小の負荷を有するHA-Uを第1のHA-Uとして決定するように構成される。
【０１６６】
選択的に、第1のBUメッセージは、MNのHoAを含む。それに応じて、プロセッサ1103は、さらに、MNについてバインディング・キャッシュ・エントリ(BCE)を生成し、BCEは、第1のHA-Uのアドレス及びHoAを含み、第2のBUメッセージに含まれるMNのCoAにしたがって、BCEを更新して、更新されたBCEを取得するように構成され、更新されたBCEは、第1のHA-Uのアドレス、HoA、及びCoAを含む。
【０１６７】
選択的に、通信システムは、第2のHA-Uをさらに含んでもよく、第2のHA-Uは、第2のネットワークの中に位置する。
【０１６８】
それに応じて、プロセッサ1103は、さらに、第2のネットワークにおけるMNのための第2のHA-Uを決定するように構成される。送信器1102は、さらに、MNに第2のBAメッセージを送信するように構成され、第2のBAメッセージは、第2のHA-Uのアドレスを含み、それによって、MNが、第2のネットワークから、第2のネットワークとは異なる第3のネットワークに移動した後に、MNは、第2のHA-Uのアドレスにしたがって、第2のHA-Uとのトンネル通信を実行する。
【０１６９】
さらに、選択的に、第2のネットワークが少なくとも2つのHA-Uを含み、少なくとも2つのHA-Uが、異なるプロキシ・サーバ又は異なるゲートウェイに個別に配置される場合に、プロセッサ1103は、特に、負荷平衡規則にしたがって、第2のネットワークに含まれる少なくとも2つのHA-UからMNのための第2のHA-Uを決定するように構成される。
【０１７０】
選択的に、構成メッセージは、トンネル・タイプをさらに含んでもよく、トンネル・タイプは、トンネル通信が実行されるときに使用されるトンネル・プロトコルを示すのに使用される。第1のBAメッセージは、トンネル・タイプをさらに含んでもよい。
【０１７１】
さらに、選択的に、構成メッセージは、トンネル・パラメータをさらに含んでもよく、トンネル・パラメータは、トンネル通信が、トンネル・タイプによって示されるトンネル・プロトコルを使用することにより実行されるときに使用される関連するパラメータである。
【０１７２】
第1のBAメッセージは、トンネル・パラメータをさらに含んでもよい。
【０１７３】
選択的に、受信器1101は、さらに、MNにより送信されるMPSメッセージを受信するように構成される。送信器1102は、さらに、MNにMPAメッセージを返すように構成される。
【０１７４】
選択的に、通信システムは、CNをさらに含んでもよく、CNは、第1のネットワークを使用することによってMNと通信する。受信器1101は、さらに、MNにより送信されるHTIメッセージを受信するように構成される。送信器1102は、さらに、CNにHTIメッセージを転送するように構成される。
【０１７５】
この実施形態における装置は、図6で示される方法の実施形態における、HA-C側に関する技術的解決方法を実行するように構成されてもよい。装置の実装原理及び技術的効果は、方法の実施形態における実装原理及び技術的効果と同様であり、詳細は、本明細書では再度説明されない。
【０１７６】
図13は、本発明にしたがったモビリティ管理装置の実施形態9の概略的な構成図である。当該装置は、第1のHA-Uであり、当該装置は、通信システムに適用される。通信システムは、ホーム・エージェント制御プレーン(HA-C)、第1のHA-U、及びモバイル・ノード(MN)を含み、第1のHA-Uは、第1のネットワークの中に位置し、第1のHA-Uは、第1のプロキシ・サーバ又はゲートウェイに配置され、HA-Cは、第2のプロキシ・サーバに配置される。図13で示されるように、この実施形態における装置は、受信器1301及びプロセッサ1302を含んでもよい。受信器1301は、HA-Cによって送信された構成メッセージを受信するように構成され、構成メッセージは、MNのホーム・アドレス(HoA)及び気付アドレス(CoA)を含む。プロセッサ1302は、構成メッセージにしたがってMNとのトンネル通信を実行するように構成される。
【０１７７】
この実施形態における装置は、図4で示される方法の実施形態における技術的解決方法を実行するように構成されてもよい。装置の、実装原理及び技術的効果は、方法の実施形態におけるそれらと同様であり、詳細は、本明細書では再度説明されない。
【０１７８】
モビリティ管理装置の実施形態10
選択的に、本発明にしたがったモビリティ管理装置の実施形態9に基づいて、通信システムは、対応するノード(CN)をさらに含んでもよく、CNは、第1のネットワークを使用することによってMNと通信する。
【０１７９】
それに応じて、プロセッサ1302は、特に、MNによって送信された第1のデータ・パケットを受信し、第1のデータ・パケットは、MNが、第1のHA-Uのアドレスにしたがって、第2のデータ・パケットにトンネル・カプセル化を実行した後に取得されるデータ・パケットであり、第2のデータ・パケットは、MNによってCNに送信されるデータ・パケットであり、
第1のデータ・パケットにトンネル・デカプセル化を実行して、第2のデータ・パケットを取得し、CNに第2のデータ・パケットを転送する、ように構成される。
【０１８０】
選択的に、プロセッサ1302は、さらに、
第3のデータ・パケットに含まれるMNのHoAにしたがって、第3のデータ・パケットが、CNによってMNに送信されるデータ・パケットであるということを決定し、
MNのCoAにしたがって、第3のデータ・パケットにトンネル・カプセル化を実行して、第4のデータ・パケットを取得し、そして、MNに第4のデータ・パケットを転送するように構成され、それによって、MNは、第4のデータ・パケットにトンネル・デカプセル化を実行して、第3のデータ・パケットを取得する。
【０１８１】
選択的に、構成メッセージは、トンネル・タイプをさらに含んでもよく、トンネル・タイプは、トンネル通信が実行されるときに使用されるトンネル・プロトコルを示すのに使用される。
【０１８２】
それに応じて、プロセッサ1302は、特に、トンネル・タイプに対応するトンネル・プロトコルにしたがって、第1のデータ・パケットにトンネル・デカプセル化を実行するように構成される。
【０１８３】
さらに、選択的に、構成メッセージは、トンネル・パラメータをさらに含んでもよく、トンネル・パラメータは、トンネル通信が、トンネル・タイプによって示されるトンネル・プロトコルを使用することにより実行されるときに使用される関連するパラメータである。
【０１８４】
それに応じて、プロセッサ1302は、特に、トンネル・タイプに対応するトンネル・プロトコル及びトンネル・パラメータにしたがって、第1のデータ・パケットにトンネル・デカプセル化を実行するように構成される。
【０１８５】
選択的に、受信器1301は、さらに、MNにより送信されるMPSメッセージを受信するように構成される。装置は、送信器1303をさらに含み、送信器は、さらに、MNにMPAメッセージを返すように構成される。
【０１８６】
選択的に、受信器1301は、さらに、MNにより送信されるHTIメッセージを受信するように構成され、送信器1303は、さらに、CNにHTIメッセージを転送するように構成される。
【０１８７】
この実施形態における装置は、図6で示される方法の実施形態における、第1のHA-U側に関する技術的解決方法を実行するように構成されてもよい。装置の、実装原理及び技術的効果は、方法の実施形態におけるそれらと同様であり、詳細は、本明細書では再度説明されない。
【０１８８】
図14は、本発明にしたがったモビリティ管理装置の実施形態11の概略的な構成図である。当該装置は、MNであり、当該装置は、通信システムに適用される。通信システムは、ホーム・エージェント制御プレーン(HA-C)、第1のホーム・エージェント・ユーザ・プレーン(HA-U)、及びMNを含み、第1のHA-Uは、第1のネットワークの中に位置し、第1のHA-Uは、第1のプロキシ・サーバ又はゲートウェイに配置され、HA-Cは、第2のプロキシ・サーバに配置される。図14で示されるように、この実施形態における装置は、送信器1401、受信器1402、及びプロセッサ1403を含んでもよい。送信器1401は、MNが第1のネットワークにアクセスする場合に、HA-Cに第1のBUメッセージを送信するように構成される。受信器1402は、HA-Cにより送信された第1のBAメッセージを受信するように構成され、第1のBAメッセージは、第1のHA-Uのアドレスを含む。送信器1401は、さらに、MNが、第1のネットワークから、第1のネットワークとは異なる第2のネットワークに移動した後に、HA-Cに第2のBUメッセージを送信するように構成され、第2のBUメッセージは、MNのホーム・アドレス(HoA)及び気付アドレス(CoA)を含み、それによって、HA-Cは、構成メッセージを使用することによって、第1のHA-UにMNのHoA及びCoAを送信する。プロセッサ1403は、第1のHA-Uのアドレスにしたがって、第1のHA-Uとのトンネル通信を実行するように構成される。
【０１８９】
この実施形態における装置は、図5で示される方法の実施形態における技術的解決方法を実行するように構成されてもよい。装置の実装原理及び技術的効果は、方法の実施形態における実装原理及び技術的効果と同様であり、詳細は、本明細書では再度説明されない。
【０１９０】
モビリティ管理装置の実施形態12
選択的に、本発明にしたがったモビリティ管理装置の実施形態11に基づいて、通信システムは、第2のHA-Uをさらに含み、第2のHA-Uは、第2のネットワークの中に位置する。
【０１９１】
それに応じて、受信器1402は、さらに、HA-Cによって送信された第2のBAメッセージを受信するように構成され、第2のBAメッセージは、第2のHA-Uのアドレスを含む。
【０１９２】
選択的に、MNが、第2のネットワークから、第2のネットワークとは異なる第3のネットワークに移動する場合に、プロセッサ1403は、さらに、第2のBAメッセージにしたがって、第2のHA-Uとのトンネル通信を実行するように構成される。
【０１９３】
選択的に、通信システムは、CNをさらに含み、CNは、第1のネットワークを使用することによってMNと通信する。プロセッサ1403は、特に、第1のHA-Uのアドレスにしたがって、第2のデータ・パケットにトンネル・カプセル化を実行して、第1のデータ・パケットを取得し、そして、第1のHA-Uに第1のデータ・パケットを送信するように構成され、それによって、第1のHA-Uは、第1のデータ・パケットにトンネル・デカプセル化を実行して、第2のデータ・パケットを取得し、CNに第2のデータ・パケットを転送し、第2のデータ・パケットは、MNによってCNに送信されるデータ・パケットである。
【０１９４】
選択的に、プロセッサ1403は、さらに、
第1のHA-Uによって送信された第4のデータ・パケットを受信し、第4のデータ・パケットは、第1のHA-Uが、MNのCoAにしたがって、第3のデータ・パケットにトンネル・カプセル化を実行した後に取得されるデータ・パケットであり、第3のデータ・パケットは、CNによってMNに送信されるデータ・パケットであり、
第4のデータ・パケットにトンネル・デカプセル化を実行して、第3のデータ・パケットを取得する、ように構成される。
【０１９５】
選択的に、第1のBAメッセージは、トンネル・タイプをさらに含み、トンネル・タイプは、トンネル通信が実行されるときに使用されるトンネル・プロトコルを示すのに使用される。
【０１９６】
それに応じて、プロセッサ1403は、特に、トンネル・タイプに対応するトンネル・プロトコル及び第1のHA-Uのアドレスにしたがって、第2のデータ・パケットにトンネル・カプセル化を実行するように構成される。
【０１９７】
さらに、選択的に、第1のBAメッセージは、トンネル・パラメータをさらに含み、トンネル・パラメータは、トンネル通信が、トンネル・タイプによって示されるトンネル・プロトコルを使用することにより実行されるときに使用される関連するパラメータである。
【０１９８】
それに応じて、プロセッサ1403は、特に、トンネル・タイプに対応するトンネル・プロトコル、第1のHA-Uのアドレス、及びトンネル・パラメータにしたがって、第2のデータ・パケットにトンネル・カプセル化を実行するように構成される。
【０１９９】
選択的に、送信器1401は、さらに、MPSメッセージをHA-Cに送信するように構成される。
【０２００】
受信器1402は、さらに、HA-Cにより送信されるMPAメッセージを受信するように構成される。
【０２０１】
選択的に、送信器1401は、さらに、HTIメッセージをHA-Cに送信するように構成される。
【０２０２】
この実施形態における装置は、図6で示される方法の実施形態におけるMN側に関する技術的解決方法を実行するように構成されてもよい。装置の、実装原理及び技術的効果は、方法の実施形態におけるそれらと同様であり、詳細は、本明細書では再度説明されない。
【０２０３】
当業者は、方法の実施形態の複数のステップのすべて又は一部が、関連性のあるハードウェアに指示するプログラムによって実装されてもよいということを理解することができる。プログラムは、コンピュータ読み取り可能な記憶媒体に格納されてもよい。プログラムが起動する際に、それらの方法の実施形態の複数のステップが実行される。上記の記憶媒体は、プログラム・コードを記憶することができるROM、RAM、磁気ディスク、又は光学ディスク等のいずれかの媒体を含む。
【０２０４】
最後に、上記の複数の実施形態は、本発明の技術的解決方法を説明するように意図されているに過ぎず、本発明を限定するように意図されてはいないということに留意すべきである。本発明は、上記の複数の実施形態との関連で詳細に説明されるが、当業者であれば、本発明の複数の実施形態の技術的解決方法の範囲から逸脱することなく、上記の複数の実施形態において説明された技術的解決方法に対する修正をさらに行い、或いは、上記の複数の実施形態の技術的特徴の一部又はすべてに対する均等な置換をさらに行うことが可能であるということを、当業者は理解するはずである。
【図１】
0006545274.tif 000002
【図２】
0006545274.tif 000003
【図３】
0006545274.tif 000004
【図４】
0006545274.tif 000005
【図５】
0006545274.tif 000006
【図６】
0006545274.tif 000007
【図７】
0006545274.tif 000008
【図８】
0006545274.tif 000009
【図９】
0006545274.tif 000010
【図１０】
0006545274.tif 000011
【図１１】
0006545274.tif 000012
【図１２】
0006545274.tif 000013
【図１３】
0006545274.tif 000014
【図１４】
0006545274.tif 000015